(57)【要約】【課題】旅行会社または旅行代理店等が提供する旅行ツアーを購入する際に、ユーザが検討または選択しやすくなる旅行商品情報処理システム、旅行商品情報処理サーバ、旅行商品情報処理方法、および、プログラムを提供することを課題とする。【解決手段】本発明は、入力された検索条件に基づいて、旅行商品情報を検索し、入力された追加条件に基づいて、検索された旅行商品情報に含まれる固定行動時間情報に基づく固定行動時間以外の自由行動時間における旅行情報である追加旅行情報を取得し、検索された旅行商品情報、および、取得された追加旅行情報を含む出力情報を生成し、生成された出力情報を出力させる。【選択図】図１
2014115778.tif 000002
【特許請求の範囲】
【請求項１】
設定された訪問先に関する位置情報と移動情報と時刻とを含む固定行動時間情報を含む旅行商品情報を記憶する旅行商品情報記憶手段と、入力部を介して入力された検索条件に基づいて、上記旅行商品情報記憶手段に記憶された上記旅行商品情報を検索する旅行商品情報検索手段と、上記入力部を介して入力された追加条件に基づいて、上記旅行商品情報検索手段により検索された上記旅行商品情報に含まれる上記固定行動時間情報に基づく固定行動時間以外の自由行動時間における旅行情報である追加旅行情報を取得する追加旅行情報取得手段と、上記旅行商品情報検索手段により検索された上記旅行商品情報、および、上記追加旅行情報取得手段により取得された上記追加旅行情報を含む出力情報を生成する出力情報生成手段と、上記出力情報生成手段により生成された上記出力情報を出力部を介して出力させる出力情報出力手段と、を備えたことを特徴とする、旅行商品情報処理システム。
【請求項２】
請求項１に記載の旅行商品情報処理システムであって、上記追加旅行情報取得手段は、上記追加条件に基づいて、上記自由行動時間における案内経路である自由行動時間経路を探索し、当該自由行動時間経路に関する経路情報である自由行動時間経路情報を含む上記追加旅行情報を取得することを特徴とする、旅行商品情報処理システム。
【請求項３】
請求項１または２に記載の旅行商品情報処理システムであって、上記旅行商品情報は、予め上記自由行動時間に関する自由行動時間情報を含む、または、制御部により上記自由行動時間が判定されることを特徴とする、旅行商品情報処理システム。
【請求項４】
請求項１または２に記載の旅行商品情報処理システムであって、上記出力部は、表示部を含み、上記出力情報は、更に、上記自由行動時間に関する自由行動時間情報を含み、上記出力情報出力手段は、上記出力情報に含まれる上記自由行動時間情報、または、上記追加旅行情報を、区別可能な表示態様で上記表示部に表示させることを特徴とする、旅行商品情報処理システム。
【請求項５】
請求項２に記載の旅行商品情報処理システムであって、上記旅行商品情報処理システムは、上記追加旅行情報を記憶する追加旅行情報記憶手段、を更に備え、上記追加旅行情報取得手段は、更に、取得した上記追加旅行情報に基づく上記自由行動時間経路の終点から、当該追加旅行情報に基づく上記自由行動時間直後の上記固定行動時間に関する上記固定行動時間情報に含まれる上記位置情報に基づく最初の上記訪問先への移動が、間に合うか否か判定し、間に合う場合、当該追加旅行情報を上記追加旅行情報記憶手段に格納することを特徴とする、旅行商品情報処理システム。
【請求項６】
請求項１乃至５のいずれか一つに記載の旅行商品情報処理システムであって、上記出力情報は、更に、上記旅行商品情報、または、上記追加旅行情報に関連するクーポン、提携施設、および／または、割引に関するおすすめ情報を含むことを特徴とする、旅行商品情報処理システム。
【請求項７】
請求項１乃至６のいずれか一つに記載の旅行商品情報処理システムであって、上記追加旅行情報取得手段は、更に、取得した上記追加旅行情報を旅行商品提供元に送信することを特徴とする、旅行商品情報処理システム。
【請求項８】
請求項２に記載の旅行商品情報処理システムであって、上記旅行商品情報処理システムは、上記追加旅行情報を記憶する追加旅行情報記憶手段、を更に備え、上記追加旅行情報取得手段は、更に、旅行商品提供元から、上記旅行商品情報検索手段により検索された上記旅行商品情報に基づく旅行商品の購入確定情報を受信した場合、当該購入確定情報に基づく購入者ＩＤと当該旅行商品情報と上記追加旅行情報とを対応付けて上記追加旅行情報記憶手段に格納することを特徴とする、旅行商品情報処理システム。
【請求項９】
制御部と記憶部とを少なくとも備えた旅行商品情報処理サーバ、および、出力部と入力部と制御部とを少なくとも備えた端末装置、を通信可能に接続した旅行商品情報処理システムであって、上記旅行商品情報処理サーバの上記記憶部は、設定された訪問先に関する位置情報と移動情報と時刻とを含む固定行動時間情報を含む旅行商品情報を記憶する旅行商品情報記憶手段、を備え、上記旅行商品情報処理サーバの上記制御部は、上記端末装置の上記入力部を介して入力され、上記端末装置から送信された検索条件に基づいて、上記旅行商品情報記憶手段に記憶された上記旅行商品情報を検索する旅行商品情報検索手段と、上記端末装置の上記入力部を介して入力され、上記端末装置から送信された追加条件に基づいて、上記旅行商品情報検索手段により検索された上記旅行商品情報に含まれる上記固定行動時間情報に基づく固定行動時間以外の自由行動時間における旅行情報である追加旅行情報を取得する追加旅行情報取得手段と、上記旅行商品情報検索手段により検索された上記旅行商品情報、および、上記追加旅行情報取得手段により取得された上記追加旅行情報を含む出力情報を生成する出力情報生成手段と、上記出力情報生成手段により生成された上記出力情報を上記端末装置に送信する出力情報送信手段と、を備え、上記端末装置の上記制御部は、上記旅行商品情報処理サーバから送信された上記出力情報を受信する出力情報受信手段と、上記出力情報を上記出力部を介して出力させる出力情報出力手段と、を備えたことを特徴とする、旅行商品情報処理システム。
【請求項１０】
出力部と入力部とを少なくとも備えた端末装置に通信可能に接続された、制御部と記憶部とを少なくとも備えた旅行商品情報処理サーバであって、上記記憶部は、設定された訪問先に関する位置情報と移動情報と時刻とを含む固定行動時間情報を含む旅行商品情報を記憶する旅行商品情報記憶手段、を備え、上記制御部は、上記端末装置の上記入力部を介して入力され、上記端末装置から送信された検索条件に基づいて、上記旅行商品情報記憶手段に記憶された上記旅行商品情報を検索する旅行商品情報検索手段と、上記端末装置の上記入力部を介して入力され、上記端末装置から送信された追加条件に基づいて、上記旅行商品情報検索手段により検索された上記旅行商品情報に含まれる上記固定行動時間情報に基づく固定行動時間以外の自由行動時間における旅行情報である追加旅行情報を取得する追加旅行情報取得手段と、上記旅行商品情報検索手段により検索された上記旅行商品情報、および、上記追加旅行情報取得手段により取得された上記追加旅行情報を含む出力情報を生成する出力情報生成手段と、上記出力情報を含む出力制御情報を上記端末装置へ送信することにより、当該出力情報を当該端末装置の上記出力部を介して出力させる出力制御手段と、を備えたことを特徴とする、旅行商品情報処理サーバ。
【請求項１１】
旅行商品情報処理システムにおいて実行される旅行商品情報処理方法であって、上記旅行商品情報処理システムは、設定された訪問先に関する位置情報と移動情報と時刻とを含む固定行動時間情報を含む旅行商品情報を記憶する旅行商品情報記憶手段と、旅行商品情報検索手段と、追加旅行情報取得手段と、出力情報生成手段と、出力情報出力手段と、を備え、上記旅行商品情報検索手段が、入力部を介して入力された検索条件に基づいて、上記旅行商品情報記憶手段に記憶された上記旅行商品情報を検索する旅行商品情報検索ステップと、上記追加旅行情報取得手段が、上記入力部を介して入力された追加条件に基づいて、上記旅行商品情報検索ステップにて検索された上記旅行商品情報に含まれる上記固定行動時間情報に基づく固定行動時間以外の自由行動時間における旅行情報である追加旅行情報を取得する追加旅行情報取得ステップと、上記出力情報生成手段が、上記旅行商品情報検索ステップにて検索された上記旅行商品情報、および、上記追加旅行情報取得ステップにて取得された上記追加旅行情報を含む出力情報を生成する出力情報生成ステップと、上記出力情報出力手段が、上記出力情報生成ステップにて生成された上記出力情報を出力部を介して出力させる出力情報出力ステップと、を含むことを特徴とする、旅行商品情報処理方法。
【請求項１２】
制御部と記憶部とを少なくとも備えた旅行商品情報処理サーバ、および、出力部と入力部と制御部とを少なくとも備えた端末装置、を通信可能に接続した旅行商品情報処理システムにおいて実行される旅行商品情報処理方法であって、上記旅行商品情報処理サーバの上記記憶部は、設定された訪問先に関する位置情報と移動情報と時刻とを含む固定行動時間情報を含む旅行商品情報を記憶する旅行商品情報記憶手段、を備え、上記旅行商品情報処理サーバの上記制御部において実行される、上記端末装置の上記入力部を介して入力され、上記端末装置から送信された検索条件に基づいて、上記旅行商品情報記憶手段に記憶された上記旅行商品情報を検索する旅行商品情報検索ステップと、上記旅行商品情報処理サーバの上記制御部において実行される、上記端末装置の上記入力部を介して入力され、上記端末装置から送信された追加条件に基づいて、上記旅行商品情報検索ステップにて検索された上記旅行商品情報に含まれる上記固定行動時間情報に基づく固定行動時間以外の自由行動時間における旅行情報である追加旅行情報を取得する追加旅行情報取得ステップと、上記旅行商品情報処理サーバの上記制御部において実行される、上記旅行商品情報検索ステップにて検索された上記旅行商品情報、および、上記追加旅行情報取得ステップにて取得された上記追加旅行情報を含む出力情報を生成する出力情報生成ステップと、上記旅行商品情報処理サーバの上記制御部において実行される、上記出力情報生成ステップにて生成された上記出力情報を上記端末装置に送信する出力情報送信ステップと、上記端末装置の上記制御部において実行される、上記旅行商品情報処理サーバから送信された上記出力情報を受信する出力情報受信ステップと、上記端末装置の上記制御部において実行される、上記出力情報を上記出力部を介して出力させる出力情報出力ステップと、を含むことを特徴とする、旅行商品情報処理方法。
【請求項１３】
出力部と入力部とを少なくとも備えた端末装置に通信可能に接続された、制御部と記憶部とを少なくとも備えた旅行商品情報処理サーバにおいて実行される旅行商品情報処理方法であって、上記記憶部は、設定された訪問先に関する位置情報と移動情報と時刻とを含む固定行動時間情報を含む旅行商品情報を記憶する旅行商品情報記憶手段、を備え、上記制御部において実行される、上記端末装置の上記入力部を介して入力され、上記端末装置から送信された検索条件に基づいて、上記旅行商品情報記憶手段に記憶された上記旅行商品情報を検索する旅行商品情報検索ステップと、上記端末装置の上記入力部を介して入力され、上記端末装置から送信された追加条件に基づいて、上記旅行商品情報検索ステップにて検索された上記旅行商品情報に含まれる上記固定行動時間情報に基づく固定行動時間以外の自由行動時間における旅行情報である追加旅行情報を取得する追加旅行情報取得ステップと、上記旅行商品情報検索ステップにて検索された上記旅行商品情報、および、上記追加旅行情報取得ステップにて取得された上記追加旅行情報を含む出力情報を生成する出力情報生成ステップと、上記出力情報を含む出力制御情報を上記端末装置へ送信することにより、当該出力情報を当該端末装置の上記出力部を介して出力させる出力制御ステップと、を含むことを特徴とする、旅行商品情報処理方法。
【請求項１４】
出力部と入力部と制御部と記憶部とを少なくとも備えた旅行商品情報処理装置に実行させるためのプログラムであって、上記記憶部は、設定された訪問先に関する位置情報と移動情報と時刻とを含む固定行動時間情報を含む旅行商品情報を記憶する旅行商品情報記憶手段、を備え、上記制御部において、上記入力部を介して入力された検索条件に基づいて、上記旅行商品情報記憶手段に記憶された上記旅行商品情報を検索する旅行商品情報検索ステップと、上記入力部を介して入力された追加条件に基づいて、上記旅行商品情報検索ステップにて検索された上記旅行商品情報に含まれる上記固定行動時間情報に基づく固定行動時間以外の自由行動時間における旅行情報である追加旅行情報を取得する追加旅行情報取得ステップと、上記旅行商品情報検索ステップにて検索された上記旅行商品情報、および、上記追加旅行情報取得ステップにて取得された上記追加旅行情報を含む出力情報を生成する出力情報生成ステップと、上記出力情報生成ステップにて生成された上記出力情報を上記出力部を介して出力させる出力情報出力ステップと、を実行させるためのプログラム。
【請求項１５】
出力部と入力部とを少なくとも備えた端末装置に通信可能に接続された、制御部と記憶部とを少なくとも備えた旅行商品情報処理サーバに実行させるためのプログラムであって、上記記憶部は、設定された訪問先に関する位置情報と移動情報と時刻とを含む固定行動時間情報を含む旅行商品情報を記憶する旅行商品情報記憶手段、を備え、上記制御部において、上記端末装置の上記入力部を介して入力され、上記端末装置から送信された検索条件に基づいて、上記旅行商品情報記憶手段に記憶された上記旅行商品情報を検索する旅行商品情報検索ステップと、上記端末装置の上記入力部を介して入力され、上記端末装置から送信された追加条件に基づいて、上記旅行商品情報検索ステップにて検索された上記旅行商品情報に含まれる上記固定行動時間情報に基づく固定行動時間以外の自由行動時間における旅行情報である追加旅行情報を取得する追加旅行情報取得ステップと、上記旅行商品情報検索ステップにて検索された上記旅行商品情報、および、上記追加旅行情報取得ステップにて取得された上記追加旅行情報を含む出力情報を生成する出力情報生成ステップと、上記出力情報生成ステップにて生成された上記出力情報を上記端末装置に送信する出力情報送信ステップと、を実行させるためのプログラム。
【請求項１６】
出力部と入力部とを少なくとも備えた端末装置に通信可能に接続された、制御部と記憶部とを少なくとも備えた旅行商品情報処理サーバに実行させるためのプログラムであって、上記記憶部は、設定された訪問先に関する位置情報と移動情報と時刻とを含む固定行動時間情報を含む旅行商品情報を記憶する旅行商品情報記憶手段、を備え、上記制御部において、上記端末装置の上記入力部を介して入力され、上記端末装置から送信された検索条件に基づいて、上記旅行商品情報記憶手段に記憶された上記旅行商品情報を検索する旅行商品情報検索ステップと、上記端末装置の上記入力部を介して入力され、上記端末装置から送信された追加条件に基づいて、上記旅行商品情報検索ステップにて検索された上記旅行商品情報に含まれる上記固定行動時間情報に基づく固定行動時間以外の自由行動時間における旅行情報である追加旅行情報を取得する追加旅行情報取得ステップと、上記旅行商品情報検索ステップにて検索された上記旅行商品情報、および、上記追加旅行情報取得ステップにて取得された上記追加旅行情報を含む出力情報を生成する出力情報生成ステップと、上記出力情報を含む出力制御情報を上記端末装置へ送信することにより、当該出力情報を当該端末装置の上記出力部を介して出力させる出力制御ステップと、を実行させるためのプログラム。
【発明の詳細な説明】
【技術分野】
【０００１】
本発明は、旅行商品情報処理システム、旅行商品情報処理サーバ、旅行商品情報処理方法、および、プログラムに関する。
【背景技術】
【０００２】
従来から、ユーザに対する旅行ガイドや行動支援を行う技術が開示されている。
【０００３】
例えば、特許文献１に記載の旅行ガイドシステムにおいては、予め旅行先で閲覧するために記憶しておいた情報を、旅先で閲覧する技術が開示されている。
【先行技術文献】
【特許文献】
【０００４】
【特許文献１】特開２００５−２７５９２４号公報
【発明の概要】
【発明が解決しようとする課題】
【０００５】
しかしながら、特許文献１等に記載の従来の旅行ガイドシステムにおいては、守らなければいけない集合時間が決まっているツアーなどの場合に、ユーザがその合間に用意された自由時間の行動を自ら計画しなくてはならないという問題点を有していた。また、従来の旅行ガイドシステムにおいては、複数のツアーを比較検討する場合に、どのツアーが一番ユーザにとって楽しみやすいツアーであるかは分からないという問題点を有していた。
【０００６】
本発明は、上記問題点に鑑みてなされたもので、旅行会社または旅行代理店等が提供する旅行ツアーを購入する際に、ユーザが検討または選択しやすくなる旅行商品情報処理システム、旅行商品情報処理サーバ、旅行商品情報処理方法、および、プログラムを提供することを目的とする。
【課題を解決するための手段】
【０００７】
このような目的を達成するため、本発明の旅行商品情報処理システムは、設定された訪問先に関する位置情報と移動情報と時刻とを含む固定行動時間情報を含む旅行商品情報を記憶する旅行商品情報記憶手段と、入力部を介して入力された検索条件に基づいて、上記旅行商品情報記憶手段に記憶された上記旅行商品情報を検索する旅行商品情報検索手段と、上記入力部を介して入力された追加条件に基づいて、上記旅行商品情報検索手段により検索された上記旅行商品情報に含まれる上記固定行動時間情報に基づく固定行動時間以外の自由行動時間における旅行情報である追加旅行情報を取得する追加旅行情報取得手段と、上記旅行商品情報検索手段により検索された上記旅行商品情報、および、上記追加旅行情報取得手段により取得された上記追加旅行情報を含む出力情報を生成する出力情報生成手段と、上記出力情報生成手段により生成された上記出力情報を出力部を介して出力させる出力情報出力手段と、を備えたことを特徴とする。
【０００８】
また、本発明の旅行商品情報処理システムは、上記記載の旅行商品情報処理システムにおいて、上記追加旅行情報取得手段は、上記追加条件に基づいて、上記自由行動時間における案内経路である自由行動時間経路を探索し、当該自由行動時間経路に関する経路情報である自由行動時間経路情報を含む上記追加旅行情報を取得することを特徴とする。
【０００９】
また、本発明の旅行商品情報処理システムは、上記記載の旅行商品情報処理システムにおいて、上記旅行商品情報は、予め上記自由行動時間に関する自由行動時間情報を含む、または、制御部により上記自由行動時間が判定されることを特徴とする。
【００１０】
また、本発明の旅行商品情報処理システムは、上記記載の旅行商品情報処理システムにおいて、上記出力部は、表示部を含み、上記出力情報は、更に、上記自由行動時間に関する自由行動時間情報を含み、上記出力情報出力手段は、上記出力情報に含まれる上記自由行動時間情報、または、上記追加旅行情報を、区別可能な表示態様で上記表示部に表示させることを特徴とする。
【００１１】
また、本発明の旅行商品情報処理システムは、上記記載の旅行商品情報処理システムにおいて、上記旅行商品情報処理システムは、上記追加旅行情報を記憶する追加旅行情報記憶手段、を更に備え、上記追加旅行情報取得手段は、更に、取得した上記追加旅行情報に基づく上記自由行動時間経路の終点から、当該追加旅行情報に基づく上記自由行動時間直後の上記固定行動時間に関する上記固定行動時間情報に含まれる上記位置情報に基づく最初の上記訪問先への移動が、間に合うか否か判定し、間に合う場合、当該追加旅行情報を上記追加旅行情報記憶手段に格納することを特徴とする。
【００１２】
また、本発明の旅行商品情報処理システムは、上記記載の旅行商品情報処理システムにおいて、上記出力情報は、更に、上記旅行商品情報、または、上記追加旅行情報に関連するクーポン、提携施設、および／または、割引に関するおすすめ情報を含むことを特徴とする。
【００１３】
また、本発明の旅行商品情報処理システムは、上記記載の旅行商品情報処理システムにおいて、上記追加旅行情報取得手段は、更に、取得した上記追加旅行情報を旅行商品提供元に送信することを特徴とする。
【００１４】
また、本発明の旅行商品情報処理システムは、上記記載の旅行商品情報処理システムにおいて、上記旅行商品情報処理システムは、上記追加旅行情報を記憶する追加旅行情報記憶手段、を更に備え、上記追加旅行情報取得手段は、更に、旅行商品提供元から、上記旅行商品情報検索手段により検索された上記旅行商品情報に基づく旅行商品の購入確定情報を受信した場合、当該購入確定情報に基づく購入者ＩＤと当該旅行商品情報と上記追加旅行情報とを対応付けて上記追加旅行情報記憶手段に格納することを特徴とする。
【００１５】
また、本発明の旅行商品情報処理システムは、制御部と記憶部とを少なくとも備えた旅行商品情報処理サーバ、および、出力部と入力部と制御部とを少なくとも備えた端末装置、を通信可能に接続した旅行商品情報処理システムであって、上記旅行商品情報処理サーバの上記記憶部は、設定された訪問先に関する位置情報と移動情報と時刻とを含む固定行動時間情報を含む旅行商品情報を記憶する旅行商品情報記憶手段、を備え、上記旅行商品情報処理サーバの上記制御部は、上記端末装置の上記入力部を介して入力され、上記端末装置から送信された検索条件に基づいて、上記旅行商品情報記憶手段に記憶された上記旅行商品情報を検索する旅行商品情報検索手段と、上記端末装置の上記入力部を介して入力され、上記端末装置から送信された追加条件に基づいて、上記旅行商品情報検索手段により検索された上記旅行商品情報に含まれる上記固定行動時間情報に基づく固定行動時間以外の自由行動時間における旅行情報である追加旅行情報を取得する追加旅行情報取得手段と、上記旅行商品情報検索手段により検索された上記旅行商品情報、および、上記追加旅行情報取得手段により取得された上記追加旅行情報を含む出力情報を生成する出力情報生成手段と、上記出力情報生成手段により生成された上記出力情報を上記端末装置に送信する出力情報送信手段と、を備え、上記端末装置の上記制御部は、上記旅行商品情報処理サーバから送信された上記出力情報を受信する出力情報受信手段と、上記出力情報を上記出力部を介して出力させる出力情報出力手段と、を備えたことを特徴とする。
【００１６】
また、本発明の旅行商品情報処理サーバは、出力部と入力部とを少なくとも備えた端末装置に通信可能に接続された、制御部と記憶部とを少なくとも備えた旅行商品情報処理サーバであって、上記記憶部は、設定された訪問先に関する位置情報と移動情報と時刻とを含む固定行動時間情報を含む旅行商品情報を記憶する旅行商品情報記憶手段、を備え、上記制御部は、上記端末装置の上記入力部を介して入力され、上記端末装置から送信された検索条件に基づいて、上記旅行商品情報記憶手段に記憶された上記旅行商品情報を検索する旅行商品情報検索手段と、上記端末装置の上記入力部を介して入力され、上記端末装置から送信された追加条件に基づいて、上記旅行商品情報検索手段により検索された上記旅行商品情報に含まれる上記固定行動時間情報に基づく固定行動時間以外の自由行動時間における旅行情報である追加旅行情報を取得する追加旅行情報取得手段と、上記旅行商品情報検索手段により検索された上記旅行商品情報、および、上記追加旅行情報取得手段により取得された上記追加旅行情報を含む出力情報を生成する出力情報生成手段と、上記出力情報を含む出力制御情報を上記端末装置へ送信することにより、当該出力情報を当該端末装置の上記出力部を介して出力させる出力制御手段と、を備えたことを特徴とする。
【００１７】
また、本発明の旅行商品情報処理方法は、旅行商品情報処理システムにおいて実行される旅行商品情報処理方法であって、上記旅行商品情報処理システムは、設定された訪問先に関する位置情報と移動情報と時刻とを含む固定行動時間情報を含む旅行商品情報を記憶する旅行商品情報記憶手段と、旅行商品情報検索手段と、追加旅行情報取得手段と、出力情報生成手段と、出力情報出力手段と、を備え、上記旅行商品情報検索手段が、入力部を介して入力された検索条件に基づいて、上記旅行商品情報記憶手段に記憶された上記旅行商品情報を検索する旅行商品情報検索ステップと、上記追加旅行情報取得手段が、上記入力部を介して入力された追加条件に基づいて、上記旅行商品情報検索ステップにて検索された上記旅行商品情報に含まれる上記固定行動時間情報に基づく固定行動時間以外の自由行動時間における旅行情報である追加旅行情報を取得する追加旅行情報取得ステップと、上記出力情報生成手段が、上記旅行商品情報検索ステップにて検索された上記旅行商品情報、および、上記追加旅行情報取得ステップにて取得された上記追加旅行情報を含む出力情報を生成する出力情報生成ステップと、上記出力情報出力手段が、上記出力情報生成ステップにて生成された上記出力情報を出力部を介して出力させる出力情報出力ステップと、を含むことを特徴とする。
【００１８】
また、本発明の旅行商品情報処理方法は、制御部と記憶部とを少なくとも備えた旅行商品情報処理サーバ、および、出力部と入力部と制御部とを少なくとも備えた端末装置、を通信可能に接続した旅行商品情報処理システムにおいて実行される旅行商品情報処理方法であって、上記旅行商品情報処理サーバの上記記憶部は、設定された訪問先に関する位置情報と移動情報と時刻とを含む固定行動時間情報を含む旅行商品情報を記憶する旅行商品情報記憶手段、を備え、上記旅行商品情報処理サーバの上記制御部において実行される、上記端末装置の上記入力部を介して入力され、上記端末装置から送信された検索条件に基づいて、上記旅行商品情報記憶手段に記憶された上記旅行商品情報を検索する旅行商品情報検索ステップと、上記旅行商品情報処理サーバの上記制御部において実行される、上記端末装置の上記入力部を介して入力され、上記端末装置から送信された追加条件に基づいて、上記旅行商品情報検索ステップにて検索された上記旅行商品情報に含まれる上記固定行動時間情報に基づく固定行動時間以外の自由行動時間における旅行情報である追加旅行情報を取得する追加旅行情報取得ステップと、上記旅行商品情報処理サーバの上記制御部において実行される、上記旅行商品情報検索ステップにて検索された上記旅行商品情報、および、上記追加旅行情報取得ステップにて取得された上記追加旅行情報を含む出力情報を生成する出力情報生成ステップと、上記旅行商品情報処理サーバの上記制御部において実行される、上記出力情報生成ステップにて生成された上記出力情報を上記端末装置に送信する出力情報送信ステップと、上記端末装置の上記制御部において実行される、上記旅行商品情報処理サーバから送信された上記出力情報を受信する出力情報受信ステップと、上記端末装置の上記制御部において実行される、上記出力情報を上記出力部を介して出力させる出力情報出力ステップと、を含むことを特徴とする。
【００１９】
また、本発明の旅行商品情報処理方法は、出力部と入力部とを少なくとも備えた端末装置に通信可能に接続された、制御部と記憶部とを少なくとも備えた旅行商品情報処理サーバにおいて実行される旅行商品情報処理方法であって、上記記憶部は、設定された訪問先に関する位置情報と移動情報と時刻とを含む固定行動時間情報を含む旅行商品情報を記憶する旅行商品情報記憶手段、を備え、上記制御部において実行される、上記端末装置の上記入力部を介して入力され、上記端末装置から送信された検索条件に基づいて、上記旅行商品情報記憶手段に記憶された上記旅行商品情報を検索する旅行商品情報検索ステップと、上記端末装置の上記入力部を介して入力され、上記端末装置から送信された追加条件に基づいて、上記旅行商品情報検索ステップにて検索された上記旅行商品情報に含まれる上記固定行動時間情報に基づく固定行動時間以外の自由行動時間における旅行情報である追加旅行情報を取得する追加旅行情報取得ステップと、上記旅行商品情報検索ステップにて検索された上記旅行商品情報、および、上記追加旅行情報取得ステップにて取得された上記追加旅行情報を含む出力情報を生成する出力情報生成ステップと、上記出力情報を含む出力制御情報を上記端末装置へ送信することにより、当該出力情報を当該端末装置の上記出力部を介して出力させる出力制御ステップと、を含むことを特徴とする。
【００２０】
また、本発明のプログラムは、出力部と入力部と制御部と記憶部とを少なくとも備えた旅行商品情報処理装置に実行させるためのプログラムであって、上記記憶部は、設定された訪問先に関する位置情報と移動情報と時刻とを含む固定行動時間情報を含む旅行商品情報を記憶する旅行商品情報記憶手段、を備え、上記制御部において、上記入力部を介して入力された検索条件に基づいて、上記旅行商品情報記憶手段に記憶された上記旅行商品情報を検索する旅行商品情報検索ステップと、上記入力部を介して入力された追加条件に基づいて、上記旅行商品情報検索ステップにて検索された上記旅行商品情報に含まれる上記固定行動時間情報に基づく固定行動時間以外の自由行動時間における旅行情報である追加旅行情報を取得する追加旅行情報取得ステップと、上記旅行商品情報検索ステップにて検索された上記旅行商品情報、および、上記追加旅行情報取得ステップにて取得された上記追加旅行情報を含む出力情報を生成する出力情報生成ステップと、上記出力情報生成ステップにて生成された上記出力情報を上記出力部を介して出力させる出力情報出力ステップと、を実行させることを特徴とする。
【００２１】
また、本発明のプログラムは、出力部と入力部とを少なくとも備えた端末装置に通信可能に接続された、制御部と記憶部とを少なくとも備えた旅行商品情報処理サーバに実行させるためのプログラムであって、上記記憶部は、設定された訪問先に関する位置情報と移動情報と時刻とを含む固定行動時間情報を含む旅行商品情報を記憶する旅行商品情報記憶手段、を備え、上記制御部において、上記端末装置の上記入力部を介して入力され、上記端末装置から送信された検索条件に基づいて、上記旅行商品情報記憶手段に記憶された上記旅行商品情報を検索する旅行商品情報検索ステップと、上記端末装置の上記入力部を介して入力され、上記端末装置から送信された追加条件に基づいて、上記旅行商品情報検索ステップにて検索された上記旅行商品情報に含まれる上記固定行動時間情報に基づく固定行動時間以外の自由行動時間における旅行情報である追加旅行情報を取得する追加旅行情報取得ステップと、上記旅行商品情報検索ステップにて検索された上記旅行商品情報、および、上記追加旅行情報取得ステップにて取得された上記追加旅行情報を含む出力情報を生成する出力情報生成ステップと、上記出力情報生成ステップにて生成された上記出力情報を上記端末装置に送信する出力情報送信ステップと、を実行させることを特徴とする。
【００２２】
また、本発明のプログラムは、出力部と入力部とを少なくとも備えた端末装置に通信可能に接続された、制御部と記憶部とを少なくとも備えた旅行商品情報処理サーバに実行させるためのプログラムであって、上記記憶部は、設定された訪問先に関する位置情報と移動情報と時刻とを含む固定行動時間情報を含む旅行商品情報を記憶する旅行商品情報記憶手段、を備え、上記制御部において、上記端末装置の上記入力部を介して入力され、上記端末装置から送信された検索条件に基づいて、上記旅行商品情報記憶手段に記憶された上記旅行商品情報を検索する旅行商品情報検索ステップと、上記端末装置の上記入力部を介して入力され、上記端末装置から送信された追加条件に基づいて、上記旅行商品情報検索ステップにて検索された上記旅行商品情報に含まれる上記固定行動時間情報に基づく固定行動時間以外の自由行動時間における旅行情報である追加旅行情報を取得する追加旅行情報取得ステップと、上記旅行商品情報検索ステップにて検索された上記旅行商品情報、および、上記追加旅行情報取得ステップにて取得された上記追加旅行情報を含む出力情報を生成する出力情報生成ステップと、上記出力情報を含む出力制御情報を上記端末装置へ送信することにより、当該出力情報を当該端末装置の上記出力部を介して出力させる出力制御ステップと、を実行させることを特徴とする。
【発明の効果】
【００２３】
この発明によれば、入力された検索条件に基づいて、記憶された旅行商品情報を検索し、入力された追加条件に基づいて、検索された旅行商品情報に含まれる固定行動時間情報に基づく固定行動時間以外の自由行動時間における旅行情報である追加旅行情報を取得し、検索された旅行商品情報、および、取得された追加旅行情報を含む出力情報を生成し、生成された出力情報を出力させるので、旅行会社等が提供する旅行で定められた自由時間の間の旅程をユーザが設定できることで、旅行を楽に便利に計画できるという効果を奏する。すなわち、この発明によれば、自由行動時間を検索し、好きな地点を回ることができる自分だけの旅程を組むことができるという効果を奏する。
【００２４】
また、この発明によれば、追加条件に基づいて、自由行動時間における案内経路である自由行動時間経路を探索し、当該自由行動時間経路に関する経路情報である自由行動時間経路情報を含む追加旅行情報を取得するので、案内経路提供と連携することで、旅行の間の移動に関する不安を解消できるという効果を奏する。
【００２５】
また、この発明によれば、旅行商品情報は、予め自由行動時間に関する自由行動時間情報を含む、または、自由行動時間が判定されるので、旅行商品提供元から提供されるデータに自由行動時間が明確にデータとして区分けされていない場合であっても、自由行動時間を判定することができるという効果を奏する。
【００２６】
また、この発明によれば、出力情報は、更に、自由行動時間に関する自由行動時間情報を含み、出力情報に含まれる自由行動時間情報、または、追加旅行情報を、区別可能な表示態様で表示させるので、旅行商品提供元が提供する旅行商品情報中の固定行動時間情報との違いをユーザがすぐに把握することができるという効果を奏する。
【００２７】
また、この発明によれば、更に、取得した追加旅行情報に基づく自由行動時間経路の終点から、当該追加旅行情報に基づく自由行動時間直後の固定行動時間に関する固定行動時間情報に含まれる位置情報に基づく最初の訪問先への移動が、間に合うか否か判定し、間に合う場合、当該追加旅行情報を格納するので、追加旅行情報が旅行商品に設定されているスケジュールに間に合う場合登録され、間に合わない場合エラーとなるという効果を奏する。
【００２８】
また、この発明によれば、出力情報は、更に、旅行商品情報、または、追加旅行情報に関連するクーポン、提携施設、および／または、割引に関するおすすめ情報を含むので、ユーザにより多くの情報を提供できるだけでなく、ユーザに訴求する広告モデルの提供をすることもできるという効果を奏する。
【００２９】
また、この発明によれば、更に、取得した追加旅行情報を旅行商品提供元に送信するので、旅行会社等にユーザ情報をフィードバックすることができるという効果を奏する。また、この発明によれば、ユーザが自由行動時間について設定した地点情報を収集し、旅行代理店側のプラン再考につなげることができるという効果を奏する。
【００３０】
また、この発明によれば、更に、旅行商品提供元から、検索された旅行商品情報に基づく旅行商品の購入確定情報を受信した場合、当該購入確定情報に基づく購入者ＩＤと当該旅行商品情報と追加旅行情報とを対応付けて格納するので、単に計画中のユーザと、旅行商品購入済みのユーザと、を区別して情報提供等することができるという効果を奏する。
【００３１】
なお、上記において、本発明の旅行商品情報処理システムを一例に効果の説明をしたが、旅行商品情報処理サーバ、旅行商品情報処理方法、および、プログラムにおいても同様の効果を奏する。
【図面の簡単な説明】
【００３２】
【図１】図１は、第１の実施形態における旅行商品情報処理システムの構成の一例を示すブロック図である。
【図２】図２は、第１の実施形態における旅行商品情報処理システムの処理の一例を示すフローチャートである。
【図３】図３は、本実施形態における旅行商品情報の一例を示す図である。
【図４】図４は、本実施形態における旅行商品情報の一例を示す図である。
【図５】図５は、本実施形態における旅行商品情報の一例を示す図である。
【図６】図６は、本実施形態における自由時間編集画面の一例を示す図である。
【図７】図７は、本実施形態における自由時間編集画面の一例を示す図である。
【図８】図８は、本実施形態における自由時間編集画面の一例を示す図である。
【図９】図９は、本実施形態における自由時間編集画面の一例を示す図である。
【図１０】図１０は、本実施形態における自由時間編集画面の一例を示す図である。
【図１１】図１１は、本実施形態における出力情報の一例を示す図である。
【図１２】図１２は、本実施形態における出力情報の一例を示す図である。
【図１３】図１３は、第２の実施形態における旅行商品情報処理サーバの構成の一例を示すブロック図である。
【図１４】図１４は、第２の実施形態における旅行商品情報処理システムの処理の一例を示すフローチャートである。
【図１５】図１５は、第３の実施形態における旅行商品情報処理装置の構成の一例を示すブロック図である。
【図１６】図１６は、第３の実施形態における旅行商品情報処理システムの処理の一例を示すフローチャートである。
【発明を実施するための形態】
【００３３】
以下に、本発明にかかる旅行商品情報処理システム、端末装置、旅行商品情報処理サーバ、旅行商品情報処理装置、旅行商品情報処理方法、および、プログラムの実施の形態を図面に基づいて詳細に説明する。なお、この実施の形態によりこの発明が限定されるものではない。
【００３４】
以下、本発明における旅行商品情報処理システムの構成および処理について、第１の実施形態、第２の実施形態、第３の実施形態の順にて詳細に説明する。
【００３５】
［第１の実施形態］
最初に、本発明の第１の実施形態について、図１乃至図１２を参照して以下に説明する。但し、以下に示す第１の実施形態は、本発明の技術思想を具体化するための旅行商品情報処理システムを例示するものであって、本発明をこの旅行商品情報処理システムに特定することを意図するものではなく、特許請求の範囲に含まれるその他の実施形態の旅行商品情報処理システムにも等しく適用し得るものである。例えば、第１の実施形態で例示する旅行商品情報処理システムにおけるサーバ側と端末側の機能分散の形態は以下に限られず、同様の効果や機能を奏し得る範囲において、任意の単位で機能的または物理的に分散・統合して構成することができる。
【００３６】
［旅行商品情報処理システムの構成］
まず、第１の実施形態における旅行商品情報処理システムの構成の一例について、図１を参照して以下に説明する。図１は、第１の実施形態における旅行商品情報処理システムの構成の一例を示すブロック図であり、該構成のうち本発明に関係する部分のみを概念的に示している。なお、本実施形態においては、通信型のナビゲーションを提供する旅行商品情報処理システムを具体例として説明するが、本発明はこれに限ることなく、スタンドアローンタイプの旅行商品情報処理システムなどにも適用可能である。
【００３７】
図１に示すように、第１の実施形態の旅行商品情報処理システムは、概略的に、地図情報提供および経路探索等を行うことができる旅行商品情報処理サーバ２００、および、単数または複数の経路案内アプリケーションおよび乗換案内アプリケーション等を搭載した端末装置１００、を通信可能に接続して構成される。ここで、図１に示すように、通信には、一例として、ネットワーク３００を介した有線・無線通信等の遠隔通信等を含む。また、これら旅行商品情報処理システムの各部は任意の通信路を介して通信可能に接続されている。
【００３８】
図１に示すように、第１の実施形態の旅行商品情報処理システムにおいて、旅行商品情報処理サーバ２００は、概略的に、制御部２０２と記憶部２０６とを少なくとも備えており、端末装置１００は、位置取得部１１２と出力部（表示部１１４および音声出力部１１６）と入力部１１８と制御部１０２と記憶部１０６とを少なくとも備える。
【００３９】
［旅行商品情報処理サーバ２００の構成］
ここで、図１において、旅行商品情報処理サーバ２００は、端末装置１００の入力部１１８を介して入力され、端末装置１００から送信された検索条件に基づいて、旅行商品情報を検索し、端末装置１００の入力部１１８を介して入力され、端末装置１００から送信された追加条件に基づいて、検索された旅行商品情報に含まれる固定行動時間情報に基づく固定行動時間以外の自由行動時間における旅行情報である追加旅行情報を取得し、検索された旅行商品情報、および、取得された追加旅行情報を含む出力情報を生成し、生成された出力情報を端末装置１００に送信する等の機能を有する。旅行商品情報処理サーバ２００は、通信制御インターフェース部２０４を介してネットワーク３００を経由し、端末装置１００と相互に通信可能に接続されており、制御部２０２と記憶部２０６とを備える。制御部２０２は、各種処理を行う制御手段である。通信制御インターフェース部２０４は、通信回線や電話回線等に接続されるアンテナやルータ等の通信装置（図示せず）に接続されるインターフェースであり、旅行商品情報処理サーバ２００とネットワーク３００との間における通信制御を行う機能を有する。すなわち、通信制御インターフェース部２０４は、端末装置１００等と通信回線を介してデータを通信する機能を有している。記憶部２０６は、ＨＤＤ（Ｈａｒｄ  Ｄｉｓｋ  Ｄｒｉｖｅ）等の固定ディスク装置またはＳＳＤ（Ｓｏｌｉｄ  Ｓｔａｔｅ  Ｄｒｉｖｅ）等のストレージ手段であり、各種のデータベースやテーブル（旅行商品情報データベース２０６ａ、ＰＯＩ情報データベース２０６ｂ、追加旅行情報データベース２０６ｃ、ネットワーク情報データベース２０６ｄ、交通情報データベース２０６ｅ、地図情報データベース２０６ｆ、および、案内情報データベース２０６ｇ等）を格納する。
【００４０】
これら記憶部２０６の各構成要素のうち、旅行商品情報データベース２０６ａは、設定された訪問先に関する位置情報と移動情報と時刻とを含む固定行動時間情報を含む旅行商品情報を記憶する旅行商品情報記憶手段である。ここで、旅行商品情報は、予め自由行動時間に関する自由行動時間情報を含んでいてもよい。また、旅行商品情報は、クーポン、提携施設、および／または、割引に関するおすすめ情報を含んでいてもよい。また、旅行商品情報は、旅行会社、または、旅行代理店等の旅行商品提供元により提供されるツアー商品に関する情報であってもよい。また、旅行商品情報は、オプショナルツアーに関する商品情報を含んでいてもよい。また、旅行商品情報に含まれる位置情報は、出発地（例えば、ツアーの集合場所等）、経由地（例えば、訪問施設、または、宿泊施設等）、ならびに、目的地（例えば、日毎の目的地、または、ツアーの解散場所等）などの情報であってもよい。また、移動情報は、移動手段情報、移動時間、および／または、移動経路情報等を含んでいてもよい。また、時刻は、出発時刻、宿泊日数、および、到着時刻等を含んでいてもよい。また、旅行商品情報は、商品名称、商品ＩＤ、および、訪問先となるＰＯＩに関するＰＯＩ情報を含んでいてもよい。これら旅行商品情報は、旅行商品情報データベース２０６ａに予め記憶されており、旅行商品情報処理サーバ２００の制御部２０２は、定期的に、および／または、制御部２０２による処理に応じて（例えば、制御部２０２においてデータが必要となる契機等に）ネットワーク３００を介して最新のデータを外部サーバ６００（例えば、旅行商品情報を提供する旅行商品提供元など）等からダウンロードして旅行商品情報データベース２０６ａに記憶された旅行商品情報をアップデートしてもよい。
【００４１】
また、ＰＯＩ情報データベース２０６ｂは、ＰＯＩ（Ｐｏｉｎｔ  Ｏｆ  Ｉｎｔｅｒｅｓｔ）に関するＰＯＩ情報を記憶するＰＯＩ情報記憶手段である。ここで、ＰＯＩ情報は、ＰＯＩの位置情報、ＰＯＩの名称、種別（カテゴリ）、ＵＲＬ、営業時間、取扱商品、平均価格（例えば、平均使用料金など）、評判、ランキング、立ち寄りやすさ、レコメンドスコア、写真データ、クーポン情報、口コミ（例えば、口コミ評価およびユーザコメントなど）、使用条件、使用可能性、施設規模、ＰＯＩ  ＩＤ、当該ＰＯＩ情報へのアクセス回数またはアクセス頻度等の参照率、および、当該ＰＯＩ情報の更新日時等の情報を含んでいてもよい。ここで、ＰＯＩの位置（座標）情報は、ＰＯＩの緯度経度高度、ＰＯＩの電話番号、ＰＯＩの住所、ならびに、ＰＯＩの存在する地点の立地（都市部、郊外、港湾部、および、駅周辺等）および用途制限等を含んでいてもよい。また、ＰＯＩとは、便利な場所や興味のある場所などとして人が知覚する特定の地点および施設等であって、店舗、会社、事務所、公共施設、娯楽施設、および、屋外施設等であってもよい。ここで、店舗は、例えば、飲食店、食料品店、酒店、タバコ店、百貨店、ショッピングセンター、スーパーマーケット、コンビニエンスストア、ガソリンスタンド、金融機関、郵便局、立体駐車場、ならびに、ホテルおよび旅館等の宿泊施設等であってもよい。また、公共施設は、例えば、官庁、警察署、交番、消防署、駅、医療機関、美術館、博物館、および、学校等であってもよい。また、娯楽施設は、例えば、映画館、劇場、遊園地、パチンコ店、カジノ、および、競馬場等であってもよい。また、屋外施設は、バスターミナル、公園、遊園地、キャンプ場、連絡通路、屋外駐車場、および、動物園等であってもよい。また、ＰＯＩは、一時的に行われるイベント（例えば、祭り、展示会、博覧会、試合、コンサート、および、フリーマーケット等）の会場であってもよい。
【００４２】
また、追加旅行情報データベース２０６ｃは、追加旅行情報を記憶する追加旅行情報記憶手段である。ここで、追加旅行情報は、旅行商品情報に含まれる固定行動時間情報に基づく固定行動時間以外の自由行動時間における旅行情報である追加旅行情報であってもよい。また、追加旅行情報データベース２０６ｃは、旅行商品の購入者ＩＤと旅行商品情報と追加旅行情報とを対応付けて記憶してもよい。
【００４３】
また、ネットワーク情報データベース２０６ｄは、交通網を規定するネットワークに関するネットワーク情報を記憶するネットワーク情報記憶手段である。ここで、ネットワーク情報は、交通網表現上の結節点であるノードと、当該ノード間を接続するリンクと、の組み合わせによって表現されるネットワークに関する情報、すなわち、ノード情報とリンク情報との組み合わせであってもよい。また、ノード情報には、ノードを示すアイコン等のウィジェットを含んでいてもよい。また、ネットワーク情報は、道路ネットワーク情報、路線網ネットワーク情報、および、施設内ネットワーク情報を含んでいてもよい。また、ネットワーク情報データベース２０６ｄは、複数のネットワークが接続する接続位置である接続ノードに関するノード情報である接続ノード情報を記憶していてもよい。これらネットワーク情報は、ネットワーク情報データベース２０６ｄに予め記憶されており、旅行商品情報処理サーバ２００の制御部２０２は、定期的に、および／または、制御部２０２による処理に応じて（例えば、制御部２０２においてデータが必要となる契機等に）ネットワーク３００を介して最新のデータを外部機器（例えば、地図情報を提供する地図提供サーバなど）等からダウンロードしてネットワーク情報データベース２０６ｄに記憶されたネットワーク情報をアップデートしてもよい。
【００４４】
ここで、ネットワーク情報に含まれる道路ネットワーク情報は、道路網を規定するネットワーク情報であり、例えば、交差点等の道路網表現上の結節点であるノードに関するノード情報と、ノード間の道路区間であるリンクに関するリンク情報との組み合わせによって表現されるネットワーク情報である。ここで、道路ネットワーク情報は、自動車、自転車、もしくは、徒歩に対応する道路種別（例えば、高速自動車国道、自動車専用道路、一般道、自転車専用道路、または、歩行者専用道路等）毎にネットワーク情報データベース２０６ｄに格納されていてもよい。また、ノード情報には、ノード番号（例えば、ノードＩＤ等）、ノードの名称、緯度経度高度等の位置座標等の位置情報、ノード種別、接続するリンク本数、接続ノード番号、および、交差点名称等の情報を含んでいてもよい。また、リンク情報には、リンク番号（例えば、リンクＩＤ等）、開始ノードＩＤ、終了ノードＩＤ、道路の種別、国道や県道や市道等の路線番号、重用する路線情報、リンクの存在する行政区域の属性情報、リンク長（例えば、距離等）、道路供用状況、異常気象時通行規制区間、車重制限、車両高さ制限、幅員、道路幅員区分、レーン情報（例えば、車線数、路線バス専用通行帯、二輪専用通行帯、および、二輪・軽車両専用通行帯等の専用通行帯、路線バス等優先通行帯、自転車専用通行帯、車両通行区分、ならびに、進行方向別通行区分などについての車両通行帯情報等）、中央分離帯を含む中央線の設置情報、歩行路（例えば、歩道、自転車道、歩行者専用道路、自転車専用道路、自転車歩行者専用道路、自転車歩行者道、または、路側帯等）に関する歩行路情報（例えば、歩行路の設置情報、および、設置位置に関する位置情報等を含む）、横断路（例えば、横断歩道、歩道橋、および、地下道等）に関する横断路情報（例えば、横断路の設置情報、および、設置位置に関する位置情報等を含む）、制限速度、車線変更規制、高架、トンネルおよび橋等のリンク内属性、ならびに、名称（例えば、道路名称等）等の情報を含んでいてもよい。また、道路ネットワーク情報は、利用料金データ等を含んでいてもよい。ここで、利用料金データは、自動車およびオートバイ等で移動する場合に消費する燃料料金、ならびに、高速自動車国道および自動車専用道路等の有料道路の通行料金等を表す情報等であってもよい。また、道路ネットワーク情報は、自動車、オートバイ、自転車、および、徒歩等で移動する場合の経路上に存在する施設等の緯度経度情報などの位置情報等を記憶してもよい。
【００４５】
また、ネットワーク情報に含まれる路線網ネットワーク情報は、鉄道、飛行機、バス、および、船等の各交通機関（例えば、公共交通機関等）の路線網を規定するネットワーク情報であり、例えば、路線網表現上の結節点であるノード（例えば、交通機関の停留地点である駅、停留場、停車場、停留所、空港、港、および、ターミナル等）に関するノード情報（例えば、停留地点情報）と、ノード間を接続するリンク（例えば、鉄道路線、航空路線、航路、および、バス路線等）に関するリンク情報（例えば、運行経路情報を含む路線情報等）との組み合わせによって表現されるネットワーク情報である。ここで、路線網ネットワーク情報は、運行会社毎、路線毎、路線を運行する公共交通機関毎にネットワーク情報データベース２０６ｄに格納されていてもよい。また、路線とは、交通機関が通過する出発地と目的地とを結ぶ線であってもよい。また、運行経路情報は、交通機関の路線が設定された交通機関が実際に移動する運行経路に関する情報であって、当該運行経路の位置情報を含んでいてもよい。また、鉄道とは、ルート上に設置された固定式案内路（レール、および案内軌条など）等に誘導されて走行し、旅客や貨物等を輸送する交通機関であり、例えば、電車、市電、ロープウェイ、モノレール、ケーブルカー、および、リニアモーターカー等であってもよい。また、ノード情報には、ノード番号（例えば、ノードＩＤ等）、ノードの名称（例えば、交通機関の停留地点の名称である駅名、停留場名、停車場名、停留所名、空港名、港名、および、ターミナルの名称等）、および、緯度経度高度などの位置情報などの情報を含んでいてもよい。また、リンク情報には、リンク番号（例えば、リンクＩＤ等）、開始ノードＩＤ、終了ノードＩＤ、種別、リンク長（例えば、距離等）、高架、トンネルおよび橋等のリンク内属性、リンクの名称（例えば、路線名など）、ならびに、緯度経度高度などの位置情報等の情報を含んでいてもよい。また、路線網ネットワーク情報は、更に、交通機関の種別（例えば、特急、急行、準急、快速、快速急行、通勤特急、通勤快速、通勤急行、区間急行、区間準急、区間快速、各駅停車、および、普通など）に対応したノード（例えば、急行停車駅、準急停車駅、および、快速停車駅等）に関するノード情報と、当該ノード間を接続する鉄道路線、および、バス路線等のリンクに関するリンク情報との組み合わせによって表現されるネットワーク情報を当該種別に対応付けて含んでいてもよい。
【００４６】
また、路線網ネットワーク情報は、交通機関の乗降場所（例えば、駅のプラットホーム等）の位置情報（例えば、緯度経度高度等）、形状情報、配置情報（例えば、島式ホームおよび相対式ホーム等）、および、属性情報（例えば、プラットホーム番号などの乗降場所の名称および識別番号等）などを含む乗降場所情報を含んでいてもよい。また、路線網ネットワーク情報は、交通機関の利用運賃料金データを含んでいてもよい。ここで、利用運賃料金データは、例えば、鉄道、飛行機、バス、および、船等の各交通機関を利用した場合に生じる運賃および料金等を表す情報等であってもよい。また、路線網ネットワーク情報は、乗車位置データを含んでいてもよい。ここで、乗車位置データは、例えば、電車、市電、モノレール、ケーブルカー、および、リニアモーターカー等の複数の車両が連結した交通機関の乗車位置（一例として、改札口に近い車両、乗換に便利な位置の車両、混雑率の低い車両、および、女性専用車両等）を表す情報等であってもよい。
【００４７】
また、ネットワーク情報に含まれる施設内ネットワーク情報は、施設内の経路網を規定するネットワーク情報である。ここで、施設内ネットワーク情報は、例えば、建造物内の店舗、会社、事務所、およびトイレ等の出入口、エレベータおよびエスカレータの乗降口、階段の出入口、飛行機等の搭乗口、駅のプラットホーム上の電車等の乗車位置、ならびに、駅の改札口等の、通路等を接続する結節点であるノードに関するノード情報と、ノード間を接続する通路、階段、動く歩道、エスカレータ、および、エレベータ等であるリンクに関するリンク情報との組み合わせによって表現されるネットワーク情報である。ここで、ノード情報には、ノード番号（例えば、ノードＩＤ等）、ノードの名称（出入口名および乗降口名等）、緯度経度高度等の位置座標等の位置情報、ノード種別（例えば、出入口、乗降口、通路の曲がり角、および通路の分岐点等）、接続するリンク本数、および、接続ノード番号等の情報を含んでいてもよい。また、リンク情報には、リンク番号（例えば、リンクＩＤ等）、開始ノードＩＤ、終了ノードＩＤ、リンク長、幅員、リンク種別（例えば、ノード間を接続する通路、階段、スロープ、エスカレータ、エレベータ、および動く歩道など）、および、バリアフリー化の情報を含んでいてもよい。ここで、施設とは、駅、オフィスビル、ホテル、デパート、スーパーマーケット、博物館、美術館、学校、水族館、地下通路、立体駐車場、地下駐車場、および、地下街等の屋内建造物であってもよい。また、施設とは、バスターミナル、公園、遊園地、キャンプ場、連絡通路、屋外駐車場、および、動物園等の屋外建造物であってもよい。
【００４８】
また、交通情報データベース２０６ｅは、交通情報を記憶する交通情報記憶手段である。ここで、交通情報は、交通機関の時刻表に関する時刻表情報を含んでいてもよい。ここで、時刻表情報は、交通機関の停留地点毎の時刻表に関する停留地点時刻表情報、および、交通機関毎の運行時刻表に関する運行時刻表情報を含んでいてもよい。また、時刻表情報は、鉄道、飛行機、バス、および、船等の各交通機関の時刻表を表す情報であってもよい。また、時刻表情報は、更に、路線上のノード（すなわち、交通機関の停留地点）における交通機関の発着時刻（例えば、出発、経由、および到着の予定時刻など）、交通機関の路線の名称、および、交通機関の路線上のノード（すなわち、交通機関の停留地点）の名称等の属性情報を含む情報であってもよい。また、時刻表情報は、交通機関の路線上のノードを結ぶ区間（例えば、一つまたは複数のリンク等）毎に対応付けられた交通機関の属性情報（例えば、種別および行先情報等）を含んでいてもよい。また、時刻表情報は、各交通機関の乗降に用いられる乗降場所の名称および識別番号（例えば、プラットホーム番号など）等の乗降場所の属性情報を含んでいてもよい。また、停留地点時刻表情報は、停留地点単位の時刻表情報（例えば、各停留地点を経由する交通機関の到着時刻を定めた時刻表情報等）であってもよい。また、運行時刻表情報は、交通機関単位の時刻表情報（例えば、各交通機関が経由する停留地点の経由時刻を定めた時刻表情報等）であってもよい。また、交通情報は、交通機関の運行情報（例えば、遅延情報、および、運休情報等）を含んでいてもよく、例えば、運行情報は、鉄道運行情報、航空運行情報、船舶運行情報、および、バス運行情報等を含んでいてもよい。なお、運行情報は、路線または運行便毎の、経由する停留地点およびその経由予定時刻に関する情報を含んでいてもよい。また、時刻表情報は、更に、交通機関の行先情報（例えば、最終行先情報など）、および、交通機関の種別（例えば、特急、急行、準急、快速、快速急行、通勤特急、通勤快速、通勤急行、区間急行、区間準急、区間快速、各駅停車、および、普通など）を含む情報であってもよい。
【００４９】
また、交通情報は、道路交通情報を含んでいてもよい。ここで、道路交通情報は、渋滞発生地点や渋滞距離や道路上の二地点間の通過時間（すなわち、旅行時間など）等の渋滞情報を含んでいてもよい。また、道路交通情報は、交通障害情報や交通規制情報等を含んでいてもよい。ここで、交通規制情報は、各種の交通規制を定義するデータであり、例えば、降水量規制、積雪・凍結規制、超波規制、風速規制、および視程規制等の異常気象時通行規制、高さ規制および重量規制等の車両通行規制、道路工事や作業、道路周辺の工事に伴う工事時規制、時間帯や車種により通行できる通行帯を規制している通行帯規制および道路の損壊等による車両通行止、交通の安全を確保するために設置されるコミュニティ・ゾーン等による一般車の進入禁止、ならびに、私有地への接続路であることによる一般車の進入禁止等の情報などを含んでもよい。また、交通規制情報は、工事、事故、または、車両故障等により車両通行帯等が走行不能または走行困難となる通行規制情報であってもよい。また、これら交通情報は、交通情報データベース２０６ｅに予め記憶されており、旅行商品情報処理サーバ２００の制御部２０２は、定期的（例えば、５分毎等）に、および／または、制御部２０２による処理に応じて（例えば、制御部２０２においてデータが必要となる契機等に）ネットワーク３００を介して最新のデータを外部システム（例えば、警察庁、ＶＩＣＳ（登録商標）（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）、および、ＡＴｉＳ（登録商標）（Ａｄｖａｎｃｅｄ  Ｔｒａｆｆｉｃ  Ｉｎｆｏｒｍａｔｉｏｎ  Ｓｅｒｖｉｃｅ）、日本道路交通情報センター（登録商標）（ＪＡＲＴＩＣ（登録商標））、鉄道会社、バス会社、および、交通情報配信サーバ（サービス）など）等からダウンロードして交通情報データベース２０６ｅに記憶された交通情報をアップデートしてもよい。
【００５０】
また、地図情報データベース２０６ｆは、地図に関する地図情報を記憶する地図情報記憶手段である。ここで、地図情報データベース２０６ｆは、複数の縮尺の地図に関する地図情報、または、複数の縮尺の地図に対応可能な地図情報を記憶していてもよい。すなわち、地図情報は、複数の縮尺のラスタ形式の地図描画用の画像、または、ベクタ形式の地図描画用の画像等を含んでいてもよい。ここで、地図情報は、例えば、縮尺に従ってメッシュ化された地図情報（例えば、ＪＩＳ規格の第１〜３次地域区画メッシュデータ、および、１００ｍメッシュデータ等）等の屋外地図情報であってもよい。また、地図情報は、全国および各地方の道路地図情報等の屋外地図情報を含んでいてもよい。また、地図情報データベース２０６ｆは、公共交通機関の路線図に関する路線図情報を記憶していてもよい。また、地図情報は、例えば、高さ情報を持つ建築物（例えば、立体駐車場、駅、デパート、および、学校等）に関するフロア案内地図等の屋内地図情報を含んでいてもよい。また、地図情報データベース２０６ｆは、地図情報と、当該地図情報を一意に識別する地図ＩＤ（例えば、メッシュ番号等）と、を対応付けて記憶してもよい。
【００５１】
また、地図情報データベース２０６ｆは、更に、地図上に表示される地図オブジェクトに関する地図オブジェクト情報を記憶していてもよい。ここで、地図オブジェクト情報は、地図上に表示される地物（例えば、ビル、住宅、および、駅等の建造物、道路、線路、橋、トンネル、等高線、海岸線、および、湖岸線等の水涯線、海、河川、湖、池、沼、公園、および、屋外施設等の場地、行政界、行政区域、ならびに、街区等）の形状についての形状情報（ポリゴン、または、ポリライン等）、地図上に表示される注記（例えば、地名、住所、電話番号、店舗、公園、ビル、および、駅等の施設名称、名所、旧跡、河川、湖、湾、山、および、森林等の俗称を含む名称、道路、橋、および、トンネル等の名称、路線名称、地点情報、ならびに、口コミ情報、施設の営業時間、店舗の取扱商品、ＵＲＬ、写真データ、ならびに、クーポン情報等）の注記情報、ならびに、地図上に表示される記号（例えば、山、史跡、寺社、官庁、警察署、交番、消防署、駅、医療機関、美術館、博物館、学校、工場、および、墓地等の地図記号、飲食店、食料品店、酒店、タバコ店、百貨店、ショッピングセンター、スーパーマーケット、コンビニエンスストア、ガソリンスタンド、金融機関、および、郵便局等の店舗記号、道路上の信号、有料道路の出入口、料金所、サービスエリア、パーキングエリア、および、インターチェンジ等の記号、駐車場、駅、ホテル、美術館、および、博物館等の施設記号、ならびに、口コミ地点記号等）の記号情報（例えば、アイコン等）などのデータを含んでいてもよい。ここで、形状情報は、地図オブジェクト描画用の画像（例えば、ポリゴン、および、ポリライン等）を含んでいてもよい。また、地図情報データベース２０６ｆは、更に、ＰＯＩの位置情報等を含むＰＯＩ情報を記憶していてもよい。
【００５２】
また、地図情報に含まれる屋内地図情報は、施設等の構内における屋内経路についての構内経路データを含んでいてもよい。ここで、構内経路データとは、駅等の構内における移動経路データと、当該移動経路を含む地図（施設案内図）の地図情報と、に少なくとも基づくデータであってもよい。例えば、構内経路データは、施設案内図に移動経路が引いてある画像であってもよい。また、例えば、構内経路データは、更に、移動経路を説明するメッセージデータを含んでいてもよい。ここで、移動経路データに基づく移動経路とは、施設内で複数の交通機関の乗換えをする場合の改札口等を結ぶ最適経路（例えば、最短経路またはバリアフリー経路等）であってもよい。また、これら地図情報等は、地図情報データベース２０６ｆに予め記憶されており、旅行商品情報処理サーバ２００の制御部２０２は、定期的に、および／または、制御部２０２による処理に応じて（例えば、制御部２０２においてデータが必要となる契機等に）ネットワーク３００を介して最新のデータを外部機器（例えば、地図情報を提供する地図提供サーバなど）等からダウンロードして地図情報データベース２０６ｆに記憶された地図情報等をアップデートしてもよい。
【００５３】
また、案内情報データベース２０６ｇは、案内情報（音声案内情報および表示案内情報等）を記憶する案内情報記憶手段である。ここで、案内情報に含まれる表示案内情報は、分岐点等における進行方向等に対応付けられた、右左折等の誘導を画面に表示する矢印ナビゲーションであるターンバイターン（ＴＢＴ）、および、現在位置が目標物に近づいた旨を知らせる文字データ等であってもよく、例えば、端末装置１００の制御部１０２が表示案内を実行する際に用いられてもよい。また、表示案内情報は、交差点周辺の低縮尺の地図に関する地図情報（例えば、交差点拡大図等）、道路標識の道路標識画像、および、道路標示の道路表示画像等を含んでいてもよい。また、案内情報に含まれる音声案内情報は、現在位置周辺に渋滞している領域があることを知らせる音声情報であってもよく、横断路の進入箇所に対応付けられた「目前の横断路は横断可能です」、「この先にも横断路があります」、および、「ここが最後の横断路です」、渋滞箇所の案内に対応付けられた「この先渋滞しています」、分岐点等における進行方向等に対応付けられた「次の交差点を左に曲がります」、ならびに、現在位置が目的地に近づいた場合に対応付けられた「まもなく目的地周辺です」等の音声情報であってもよく、例えば、端末装置１００の制御部１０２が音声案内を実行する際に用いられてもよい。
【００５４】
また、制御部２０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、検索条件受信部２０２ａ、旅行商品情報検索部２０２ｂ、追加条件受信部２０２ｃ、追加旅行情報取得部２０２ｄ、出力情報生成部２０２ｅ、および、出力情報送信部２０２ｆを備える。
【００５５】
このうち、検索条件受信部２０２ａは、端末装置１００の入力部１１８を介して入力され、端末装置１００から送信された旅行商品情報の検索条件を受信する検索条件受信手段である。ここで、検索条件は、出発地、経由地、出発日、出発時刻、到着時刻、解散時刻、旅行日数、宿泊日数、一部屋利用人数、キーワード、食事内容、参加人数、価格、移動手段、商品名称、商品ＩＤ、および／または、旅行商品提供元等に関する条件を含んでいてもよい。
【００５６】
また、旅行商品情報検索部２０２ｂは、検索条件に基づいて、旅行商品情報データベース２０６ａに記憶された旅行商品情報を検索する旅行商品情報検索手段である。ここで、旅行商品情報検索部２０２ｂは、更に、旅行商品情報に基づく固定行動時間の訪問先周辺のＰＯＩに関するＰＯＩ情報をＰＯＩ情報データベース２０６ｂから取得してもよい。
【００５７】
また、追加条件受信部２０２ｃは、端末装置１００の入力部１１８を介して入力され、端末装置１００から送信された追加旅行情報の検索条件である追加条件を受信する追加条件受信手段である。ここで、追加条件は、経由地、キーワード、食事内容、および／または、アクティビティ内容（例えば、ダイビング、スカイダイビング、パラグライダー、定期観光バス乗車、気球乗船、または、遊覧船乗船等）などに関する条件を含んでいてもよい。また、追加条件は、経路探索条件を含んでいてもよい。ここで、経路探索条件は、出発地、目的地、経由地、移動手段（例えば、公共交通機関利用、徒歩利用、自転車利用、鉄道利用、または、自動車利用等）、出発時刻、経由時刻、到着時刻、および／または、日付等に関する条件であってもよい。また、追加条件は、ＰＯＩ情報であってもよい。
【００５８】
また、追加旅行情報取得部２０２ｄは、追加条件に基づいて、旅行商品情報検索部２０２ｂにより検索された旅行商品情報に含まれる固定行動時間情報に基づく固定行動時間以外の自由行動時間における旅行情報である追加旅行情報を取得する追加旅行情報取得手段である。ここで、追加旅行情報取得部２０２ｄは、追加条件に基づいて、自由行動時間における案内経路である自由行動時間経路を探索し、当該自由行動時間経路に関する経路情報である自由行動時間経路情報を含む追加旅行情報を取得してもよい。ここで、追加旅行情報取得部２０２ｄは、自由行動時間経路をネットワーク情報データベース２０６ｄに記憶されたネットワーク情報を用いて探索してもよい。また、追加旅行情報取得部２０２ｄは、更に、自由行動時間経路を、交通情報データベース２０６ｅに記憶された交通情報に基づいて探索してもよい。例えば、追加旅行情報取得部２０２ｄは、自由行動時間経路を、交通情報データベース２０６ｅに記憶された交通情報に基づいて、ネットワーク情報データベース２０６ｄに記憶されたネットワーク情報を用いて探索してもよい。また、追加旅行情報取得部２０２ｄは、追加条件に含まれる経路探索条件を満たす自由行動時間経路を探索してもよい。また、追加旅行情報は、更に、地図情報データベース２０６ｆに記憶された案内経路（自由行動時間経路）を含む地図に関する地図情報、および／または、案内情報データベース２０６ｇに記憶された、案内経路（自由行動時間経路）上において出力される案内情報（表示案内情報および音声案内情報等）を含んでいてもよい。
【００５９】
また、追加旅行情報取得部２０２ｄは、更に、取得した追加旅行情報に基づく自由行動時間経路の終点から、当該追加旅行情報に基づく自由行動時間直後の固定行動時間に関する固定行動時間情報に含まれる位置情報に基づく最初の訪問先への移動が、間に合うか否か判定し、間に合う場合、当該追加旅行情報を追加旅行情報データベース２０６ｃに格納してもよい。また、追加旅行情報取得部２０２ｄは、更に、取得した追加旅行情報を旅行商品提供元に送信してもよい。また、追加旅行情報取得部２０２ｄは、更に、旅行商品提供元から、旅行商品情報検索部２０２ｂにより検索された旅行商品情報に基づく旅行商品の購入確定情報を受信した場合、当該購入確定情報に基づく購入者ＩＤと当該旅行商品情報と追加旅行情報とを対応付けて追加旅行情報データベース２０６ｃに格納してもよい。また、旅行商品情報は、予め自由行動時間に関する自由行動時間情報を含む、または、制御部２０２により自由行動時間が判定されてもよい。また、追加旅行情報取得部２０２ｄは、追加条件に基づいて、旅行商品情報データベース２０６ａに記憶された旅行商品情報、および／または、ＰＯＩ情報データベース２０６ｂに記憶されたＰＯＩ情報を検索することで、追加旅行情報を取得してもよい。
【００６０】
また、出力情報生成部２０２ｅは、旅行商品情報検索部２０２ｂにより検索された旅行商品情報、および／または、追加旅行情報取得部２０２ｄにより取得された追加旅行情報を含む出力情報を生成する出力情報生成手段である。ここで、出力情報は、更に、自由行動時間に関する自由行動時間情報を含んでいてもよい。また、出力情報は、更に、旅行商品情報、または、追加旅行情報に関連するクーポン、提携施設、および／または、割引に関するおすすめ情報を含んでいてもよい。また、出力情報は、更に、ＰＯＩ情報を含んでいてもよい。また、出力情報は、表示情報を含む情報であってもよい。ここで、表示情報は、端末装置１００の利用者の現在位置情報を含んでいてもよい。また、出力情報生成部２０２ｅは、検索条件または追加条件を入力するための表示情報（入力画面）を含む出力情報を生成してもよい。また、出力情報生成部２０２ｅは、予め記憶部２０６に記憶された入力画面を取得してもよい。また、出力情報は、更に、地図情報データベース２０６ｆに記憶された自由行動時間経路を含む地図に関する地図情報を含んでいてもよい。また、出力情報は、更に、案内情報データベース２０６ｇに記憶された自由行動時間経路に対応した案内情報を含んでいてもよい。ここで、表示情報は、端末装置１００の表示部１１４に表示させる情報（例えば、画像、文字情報、または、表示画面等）であってもよい。
【００６１】
また、出力情報送信部２０２ｆは、出力情報生成部２０２ｅにより生成された出力情報を端末装置１００に送信する出力情報送信手段である。
【００６２】
［端末装置１００の構成］
また、図１において、端末装置１００は、旅行商品情報処理サーバ２００から送信された出力情報を受信し、出力情報を出力部を介して出力させる等の機能を有する。端末装置１００は、例えば、一般に市販されるデスクトップ型またはノート型のパーソナルコンピュータ等の情報処理装置、携帯電話、スマートフォン、ＰＨＳ、およびＰＤＡ等の携帯端末装置、および、走行経路案内等を行なうナビゲーション端末（例えば、カーナビゲーション装置など）等である。ここで、端末装置１００は、インターネットブラウザ等を搭載していてもよく、経路案内アプリケーション、乗換案内アプリケーション、および情報検索アプリケーション等を搭載していてもよい。また、端末装置１００は、リアルタイムに現在位置測位が行えるよう、ＧＰＳ機能やＩＭＥＳ機能等を有する位置取得部１１２を備えていてもよい。また、端末装置１００は、表示部１１４と音声出力部１１６とを少なくとも含む出力部を備えていてもよい。また、端末装置１００は、データ入力等を行う入力部１１８を備えていてもよい。
【００６３】
ここで、表示部１１４は、アプリケーション等の表示画面を表示する表示手段（例えば、液晶または有機ＥＬ等から構成されるディスプレイ、モニタ、および、タッチパネル等）であってもよい。また、音声出力部１１６は、音声情報を音声として出力する音声出力手段（例えば、スピーカ等）であってもよい。また、入力部１１８は、例えば、キー入力部、タッチパネル、コントロールパッド（例えば、タッチパッド、および、ゲームパッド等）、マウス、キーボード、および、マイク等であってもよい。また、入出力制御インターフェース部１０８は、位置取得部１１２、表示部１１４、音声出力部１１６、および、入力部１１８等の制御を行う。
【００６４】
ここで、位置取得部１１２は、例えば、位置発信装置５００から発信される位置情報信号を受信する信号受信手段であってもよい。ここで、位置発信装置５００は、位置情報信号（ＧＰＳ信号）を発信するＧＰＳ装置（例えば、ＧＰＳ衛星等）であってもよい。ここで、ＧＰＳ信号は、ＧＰＳ装置に搭載された原子時計等からの時刻、および、ＧＰＳ装置の天体暦（例えば、軌道情報等）などを含んでいてもよい。また、位置発信装置５００は、端末装置１００との間で無線通信を行うための装置等である基地局（例えば、携帯電話、自動車電話、および、ＰＨＳの基地局等）であってもよい。また、位置発信装置５００は、ＧＰＳ信号と類似した特徴を持つ位置情報信号を用いて屋内測位を可能とするＩＭＥＳ（Ｉｎｄｏｏｒ  Ｍｅｓｓａｇｅ  Ｓｙｓｔｅｍ）技術を実現するＩＭＥＳ装置であってもよい。
【００６５】
また、位置発信装置５００は、屋外で受信したＧＰＳ信号を屋内で発信するＧＰＳリピータであってもよい。また、位置発信装置５００は、建物（例えば、立体駐車場等）内の各フロアや地下構造物（例えば、地下鉄駅、地下街、地下連絡通路、および地下駐車場等）の各所に任意に設置される小型発信装置であってもよい。なお、この小型発信装置には、設置場所に応じた自己位置情報（位置ＩＤ等）が割り振られている。そして、端末装置１００が通信可能範囲に入ると、端末装置１００は、小型発信装置から送信される自己位置情報を位置情報信号として受信する。この際の通信方式は、例えば、ＲＦＩＤ（Ｒａｄｉｏ  Ｆｒｅｑｕｅｎｃｙ  Ｉｄｅｎｔｉｆｉｃａｔｉｏｎ）タグシステムやＢｌｕｅｔｏｏｔｈ（登録商標）等の各種近距離無線方式や、赤外線通信方式等であってもよい。また、位置発信装置５００は、無線ＬＡＮのアクセスポイントであってもよい。本実施形態において、位置取得部１１２は、無線ＬＡＮ信号等を受信して、アクセスポイントの識別情報を取得してもよい。そして、制御部１０２は、位置取得部１１２にて取得したアクセスポイント固有の識別情報からアクセスポイントの位置を特定して位置情報を取得してもよい。また、本実施形態において、制御部１０２は、位置取得部１１２にて取得された位置情報信号から、緯度、経度、および、高さ情報を含む位置情報を算出してもよい。ここで、位置情報は、緯度および経度により特定される絶対位置の他、基準となる位置からの相対位置を示すものであってもよい。
【００６６】
ここで、位置取得部１１２は、端末装置１００の変化量（例えば、ベクトル量等）を検出する速度センサ、加速度センサ、方位センサ、および、距離センサ等を備えていてもよい。ここで、位置取得部１１２は、速度センサにて速度を検出してもよい。また、位置取得部１１２は、加速度センサにて加速度を検出してもよい。また、位置取得部１１２は、方位センサにて方位（例えば、東・西・南・北・天・地等）および傾きを検出してもよい。また、位置取得部１１２は、距離センサにて移動距離（変位）を検出してもよい。ここで、速度センサは、レーザドップラ振動計等であってもよく、検出したドップラー効果によって生じた周波数の差等から端末装置１００の速度を検出してもよい。また、加速度センサは、機械式加速度センサ、ＦＢＧ光ファイバ式等の光学式加速度センサ、および、ＭＥＭＳ（Ｍｉｃｒｏ  Ｅｌｅｃｔｒｏ  Ｍｅｃｈａｎｉｃａｌ  Ｓｙｓｔｅｍｓ）加速度センサ等の半導体式加速度センサなどであってもよい。また、方位センサには、絶対走行方位を検出する地磁気センサ、および、相対走行方位を検出する光ジャイロ等が使用されてもよい。また、方位センサは、地磁気センサと加速度センサを組み合わせることで方位および傾きに関する情報を取得できる電子コンパス等であってもよい。また、距離センサは、端末装置１００が車両用の情報処理端末である場合、車軸の回転数に比例してパルス信号を発生させ、パルス信号の数量に比例した移動距離を検出してもよい。
【００６７】
また、位置取得部１１２は、更に、通信装置を備えていてもよく、端末装置１００が車両用の情報処理端末である場合、各車両に搭載された当該通信装置の車車間通信から自車位置を示す位置情報を取得してもよい。また、位置取得部１１２は、地図情報に基づいて端末装置１００の利用者の現在位置を示す位置情報を取得してもよい。
【００６８】
また、通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。すなわち、通信制御インターフェース部１０４は、旅行商品情報処理サーバ２００等と通信回線を介してデータを通信する機能を有している。また、ネットワーク３００は、端末装置１００および旅行商品情報処理サーバ２００と、外部の地図提供サーバ等の外部機器または外部システムとを相互に接続する機能を有し、例えば、インターネット、電話回線網（携帯端末回線網および一般電話回線網等）、イントラネット、または、電力線通信（ＰＬＣ）等であってもよい。
【００６９】
また、記憶部１０６は、ＨＤＤやＳＳＤ等の大容量のストレージ手段、および／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段であり、各種のデータベースやファイルやテーブル（出力情報ファイル１０６ａ等）を格納してもよい。ここで、記憶部１０６は、各種のファイル等を一時的に記憶するものであってもよい。
【００７０】
また、出力情報ファイル１０６ａは、出力情報を記憶する出力情報記憶手段である。
【００７１】
また、制御部１０２は、ＯＳ等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、現在位置情報取得部１０２ａ、検索条件送信部１０２ｂ、追加条件送信部１０２ｃ、出力情報受信部１０２ｄ、および、出力情報出力部１０２ｅを備える。
【００７２】
ここで、現在位置情報取得部１０２ａは、端末装置１００の利用者の現在位置情報を取得する現在位置情報取得手段である。ここで、現在位置情報取得部１０２ａは、端末装置１００の利用者の現在位置情報を所定時間ごと（例えば、１秒ごと、または、３分ごと等）に、すなわち、所定周期で取得してもよい。また、現在位置情報取得部１０２ａは、位置取得部１１２にて位置発信装置５００から受信した位置情報信号から算出した位置情報を端末装置１００の利用者の現在位置情報として取得してもよい。また、現在位置情報取得部１０２ａは、更に、端末装置１００の利用者の現在位置情報を旅行商品情報処理サーバ２００に送信してもよい。また、現在位置情報は、取得時刻（例えば、位置情報信号に含まれる発信時刻等）を含んでいてもよい。
【００７３】
また、現在位置情報取得部１０２ａは、利用者により入力部１１８を介して入力された現在位置についての位置座標等の位置情報を端末装置１００の利用者の現在位置情報として取得してもよい。ここで、利用者により入力部１１８を介して入力された現在位置情報に基づく現在位置は、利用者が現実に存在する位置であってもよく、利用者により任意に選択された仮想の現在位置（一例として、東京にいる利用者により選択された大阪の駅や空港等の任意の地点）であってもよい。例えば、現在位置情報取得部１０２ａは、表示部１１４に表示された地図情報上で、利用者により入力部１１８を介して指定（例えば、タッチパネルを介して指定等）された表示位置に対応する地点情報を端末装置１００の利用者の現在位置情報として取得してもよい。
【００７４】
また、検索条件送信部１０２ｂは、入力部１１８を介して検索条件が入力された場合、当該検索条件を旅行商品情報処理サーバ２００に送信する検索条件送信手段である。ここで、検索条件送信部１０２ｂは、検索条件を入力するための表示情報（入力画面）を表示部１１４に表示させてもよい。
【００７５】
また、追加条件送信部１０２ｃは、入力部１１８を介して追加条件が入力または選択された場合、当該追加条件を旅行商品情報処理サーバ２００に送信する追加条件送信手段である。ここで、追加条件送信部１０２ｃは、追加条件を入力または選択するための表示情報（入力画面）を表示部１１４に表示させてもよい。
【００７６】
また、出力情報受信部１０２ｄは、旅行商品情報処理サーバ２００から送信された出力情報を受信する出力情報受信手段である。ここで、出力情報受信部１０２ｄは、更に、これら受信情報（出力情報）を出力情報ファイル１０６ａに格納してもよい。ここで、出力情報受信部１０２ｄは、出力情報ファイル１０６ａに既存の受信情報（出力情報）が記憶されている場合、新たに設定された受信情報（出力情報）を、既存の受信情報（出力情報）に上書きして格納してもよい。
【００７７】
また、出力情報出力部１０２ｅは、出力情報を出力部を介して出力させる出力情報出力手段である。ここで、出力情報出力部１０２ｅは、出力情報を表示部１１４に表示させてもよい。また、出力情報出力部１０２ｅは、経路案内情報（出力情報に含まれる地図情報、および／または、出力情報に含まれる経路情報（自由行動時間経路情報）等）、および／または、端末装置１００の利用者の現在位置情報を表示部１１４に表示させることにより、経路案内を実行してもよい。ここで、出力情報出力部１０２ｅは、入力部１１８を介して経路案内開始要求が入力された場合、経路案内を実行してもよい。また、出力情報出力部１０２ｅは、表示案内情報を表示部１１４に表示させてもよい。また、出力情報出力部１０２ｅは、表示に対応した音声情報（案内情報に含まれる音声案内情報等）を音声出力部１１６を介して出力させてもよい。
【００７８】
以上で、第１の実施形態における旅行商品情報処理システムの構成の一例の説明を終える。
【００７９】
［旅行商品情報処理システムの処理］
次に、このように構成された第１の実施形態における旅行商品情報処理システムの処理の一例について、以下に図２乃至図１２を参照して説明する。図２は、第１の実施形態における旅行商品情報処理システムの処理の一例を示すフローチャートである。
【００８０】
図２に示すように、まず、端末装置１００の検索条件送信部１０２ｂは、旅行商品情報の検索条件を入力するための入力画面を表示部１１４に表示させ、利用者により入力部１１８を介して検索条件が入力された場合、当該検索条件を旅行商品情報処理サーバ２００に送信する（ステップＳＡ−１）。ここで、検索条件は、出発地、経由地、出発日、出発時刻、到着時刻、解散時刻、旅行日数、宿泊日数、一部屋利用人数、キーワード、食事内容、参加人数、価格、移動手段（例えば、公共交通機関利用、徒歩利用、自転車利用、飛行機利用、鉄道利用、または、自動車利用等）、商品名称、商品ＩＤ、および／または、旅行商品提供元（旅行会社または旅行代理店）等に関する条件を含んでいてもよい。また、訪問先または経由地に関する条件は、利用者が訪問を予定する地点（旅行先）の名称、または、位置情報（例えば、表示された地図情報上でタップした位置に対応する地点情報等）などであってもよい。例えば、検索条件送信部１０２ｂは、地図情報を含む入力画面を表示部１１４に表示させ、利用者により入力部１１８を介して表示した地図情報がタップされた場合、当該タップされた位置に対応する地点情報を訪問先または経由地に関する条件として取得し、当該地点情報を含む検索条件を旅行商品情報処理サーバ２００に送信してもよい。
【００８１】
そして、旅行商品情報処理サーバ２００の検索条件受信部２０２ａは、端末装置１００から送信された検索条件を受信する（ステップＳＡ−２）。
【００８２】
そして、旅行商品情報処理サーバ２００の旅行商品情報検索部２０２ｂは、検索条件受信部２０２ａにより受信された検索条件に基づいて、旅行商品情報データベース２０６ａに記憶された旅行商品情報を検索する（ステップＳＡ−３）。ここで、旅行商品情報検索部２０２ｂは、更に、旅行商品情報に基づく固定行動時間の訪問先周辺のＰＯＩに関するＰＯＩ情報をＰＯＩ情報データベース２０６ｂから取得してもよい。また、旅行商品情報検索部２０２ｂは、検索条件受信部２０２ａにより受信された検索条件に基づいて、旅行商品提供元の外部サーバ６００に記憶された旅行商品情報を検索してもよい。すなわち、旅行プランデータの取り込みは、外部サーバ６００からダウンロードする形と、ローカルに保存後サービス側（旅行商品情報処理サーバ２００）から読み込む形と、どちらであってもよい。また、読み込んだプランの地点ごとに、アラームを設定してもよい。また、旅行商品情報は、地点名、住所、電話番号、経由地点情報、写真データ、緯度経度、および／または、各地点の出発到着地情報等を含んでいてもよい。
【００８３】
ここで、図３乃至図５を参照して、本実施形態における旅行商品情報の一例について説明する。図３乃至図５は、本実施形態における旅行商品情報の一例を示す図である。
【００８４】
図３は、本実施形態における旅行商品情報（旅行商品データ）の一例を表しており、旅行商品データは、ツアー商品名と、出発地／目的地と、宿泊施設と、日程情報（出発日、宿泊数、および、出発時刻等を含む日程詳細）とに関する情報で構成されている。また、図４および図５は、旅行商品データを時刻軸にあわせて１つに表示した一例であり、図４に示すように、旅行商品データは、同行者が同じ行動をするために決められた移動または位置および時刻を伴う固定行動時間（ツアースケジュールに組み込まれたバス移動、昼食、夕食、または、朝食等の時間）が定義されている。また、図５に示すように、固定行動時間（図４においてハイライトされている部分）を除く時間を自由行動時間（自由時間）として抽出してもよい。また、自由行動時間については、システムが自動で抽出してもよいし、予め旅行商品データに付与されているものであってもよい。図５に示すように、旅行商品データのうちユーザに自由行動を許す時間帯（ハイライトされている部分）を予め定めて、定義しておいてもよい。また、旅行商品情報は、ユニークなＩＤを利用して旅行商品情報データベース２０６ａに格納され、他のデータとの紐付けを当該ユニークなＩＤを利用してもよい。また、ユーザが紐付けたデータを、端末装置１００から参照できるようにしてもよい。また、ユーザが参照したデータは、端末装置１００で編集を行い、旅行商品情報処理サーバ２００に返却でき、端末装置１００から返却されたデータを旅行商品情報処理サーバ２００で格納できるようにしてもよい。
【００８５】
図２に戻り、旅行商品情報処理サーバ２００の出力情報生成部２０２ｅは、旅行商品情報検索部２０２ｂにより検索された旅行商品情報を含む出力情報を生成する（ステップＳＡ−４）。ここで、出力情報は、更に、旅行商品情報検索部２０２ｂにより取得されたＰＯＩ情報を含んでいてもよい。また、出力情報は、旅行商品情報に含まれる自由行動時間情報を強調した表示情報を含んでいてもよい。
【００８６】
そして、旅行商品情報処理サーバ２００の出力情報送信部２０２ｆは、ステップＳＡ−４にて出力情報生成部２０２ｅにより生成された出力情報を端末装置１００に送信する（ステップＳＡ−５）。
【００８７】
そして、端末装置１００の出力情報受信部１０２ｄは、旅行商品情報処理サーバ２００から送信される出力情報を受信し、受信した出力情報を出力情報ファイル１０６ａに格納する（ステップＳＡ−６）。
【００８８】
そして、端末装置１００の出力情報出力部１０２ｅは、出力情報ファイル１０６ａに記憶された出力情報を表示部１１４に表示させることで（ステップＳＡ−７）、利用者に検索された旅行商品情報を提示する。ここで、出力情報出力部１０２ｅは、複数の旅行商品情報を表示部１１４に表示させることにより、利用者に入力部１１８を介して旅行商品情報を選択させてもよい。すなわち、旅行プランデータを複数並べて表示し、料金やオプションなどの情報も含めてユーザが比較できるようにしてもよい。
【００８９】
そして、端末装置１００の追加条件送信部１０２ｃは、出力情報出力部１０２ｅにより表示された旅行商品情報に含まれる固定行動時間情報に基づく固定行動時間以外の自由行動時間における旅行情報である追加旅行情報の検索条件である追加条件を入力または選択するための入力画面を表示部１１４に表示させ、利用者により入力部１１８を介して追加条件が入力または選択された場合、当該追加条件を旅行商品情報処理サーバ２００に送信する（ステップＳＡ−８）。ここで、追加条件送信部１０２ｃは、出力情報ファイル１０６ａに記憶された出力情報に含まれる、固定行動時間の訪問先周辺のＰＯＩに関するＰＯＩ情報を追加条件として選択するための入力画面を表示部１１４に表示させ、利用者により入力部１１８を介して追加条件が選択された場合、当該追加条件を旅行商品情報処理サーバ２００に送信してもよい。また、追加条件は、経由地、キーワード、食事内容、および／または、アクティビティ内容（例えば、ダイビング、スカイダイビング、パラグライダー、定期観光バス乗車、気球乗船、または、遊覧船乗船等）などに関する条件を含んでいてもよい。また、追加条件は、経路探索条件を含んでいてもよい。ここで、経路探索条件は、出発地、目的地、経由地、移動手段（例えば、公共交通機関利用、徒歩利用、自転車利用、鉄道利用、または、自動車利用等）、出発時刻、経由時刻、到着時刻、および／または、日付等に関する条件であってもよい。
【００９０】
ここで、図６乃至図１０を参照して、本実施形態における追加条件を入力または選択するための入力画面（自由時間編集画面）の一例について説明する。図６乃至図１０は、本実施形態における自由時間編集画面の一例を示す図である。
【００９１】
図６に示す自由時間編集画面では、自由行動時間（自由時間）を強調して表示し、追加条件の入力を受け付けるリンクを表示している。その際、入力を受け付けた目的地に対して、経路探索を行い、自由行動時間内に達成できる行動か否かを判定しユーザに提示してもよい。また、図７に示すように、タブレット端末における自由時間編集画面では、自由行動時間（自由時間）を強調して表示し、追加条件の入力を受け付けるアイコンを固定行動時間情報を示すアイコンに時系列に接続して表示してもよい。ここで、自由時間のエリア（アイコン）を押下すると、自由時間の編集画面に遷移してもよい。
【００９２】
また、図８に示す自由時間編集画面のように、自由行動時間（自由時間）に行動可能な場所（ＺＺ動物園、ＷＷ公園、および、ＵＵ水族館）について、推奨するようにしてもよい。この際、旅行商品データ提供者が提携する施設等を予め旅行商品ごとに設定可能にしておき、自由時間編集画面に表示するようにしてもよい。また、図９に示すように、タブレット端末における自由時間編集画面では、追加条件の入力を受け付けるアイコンを固定行動時間情報を示すアイコンに時系列に接続して表示するだけでなく、自由行動時間（自由時間）に行動可能な場所（ＯＯｃａｆｅ、ＯＯ美術館、ＯＯそば、ＯＯリゾート、ＯＯ公演、および、ＯＯレストラン）を選択するアイコンを表示してもよい。ここで、区間／エリアの人気スポット、同じプランを利用したユーザが設定した地点、広告、クーポン、割引、および／または、時間内に経由できる地点に関する情報を、オススメで表示される内容として自由時間編集画面に表示させてもよい。また、図１０に示すように、タブレット端末における自由時間編集画面では、追加条件の入力を受け付けるアイコンの表示に替えて、自由行動時間（自由時間）に行動可能な場所（ＯＯｃａｆｅ、ＯＯリゾート、ＯＯそば、ＯＯ美術館、および、ＯＯバナナ園）を選択するアイコンを固定行動時間情報を示すアイコンに時系列に接続して表示してもよい。ここで、ユーザが経由地を表示したアイコンを押下した場合、自由時間に立ち寄る地点を設定する画面に遷移してもよい。また、アイコンに表示される経由地としては、ユーザが入力したフリーワードに基づく地点、人気スポット、または、同じプランを利用した人が設定した地点などであってもよい。また、図１０に示すように、経由地に設定できる地点は、出発地および到着地を除く、最大８地点を登録可能であってよく、登録ができる分だけエリア（アイコン）が表示されてもよい。
【００９３】
図２に戻り、旅行商品情報処理サーバ２００の追加条件受信部２０２ｃは、端末装置１００から送信された追加旅行情報の検索条件である追加条件を受信する（ステップＳＡ−９）。
【００９４】
そして、旅行商品情報処理サーバ２００の追加旅行情報取得部２０２ｄは、追加条件受信部２０２ｃにより受信された追加条件に基づいて、旅行商品情報データベース２０６ａに記憶された旅行商品情報（例えば、オプショナルツアー情報等）、および／または、ＰＯＩ情報データベース２０６ｂに記憶されたＰＯＩ情報を検索し、交通情報データベース２０６ｅに記憶された交通情報に基づいて、ネットワーク情報データベース２０６ｄに記憶されたネットワーク情報を用いて自由行動時間における案内経路である自由行動時間経路を探索し、当該自由行動時間経路に関する経路情報である自由行動時間経路情報を含む追加旅行情報を取得する（ステップＳＡ−１０）。ここで、追加旅行情報取得部２０２ｄは、追加条件に含まれる経路探索条件を満たす自由行動時間経路を探索してもよい。また、追加旅行情報は、更に、地図情報データベース２０６ｆに記憶された案内経路（自由行動時間経路）を含む地図に関する地図情報、および／または、案内情報データベース２０６ｇに記憶された、案内経路（自由行動時間経路）上において出力される案内情報（表示案内情報および音声案内情報等）を含んでいてもよい。また、追加旅行情報取得部２０２ｄは、更に、取得した追加旅行情報に基づく自由行動時間経路の終点から、当該追加旅行情報に基づく自由行動時間直後の固定行動時間に関する固定行動時間情報に含まれる位置情報に基づく最初の訪問先への移動が、間に合うか否か判定し、間に合う場合、当該追加旅行情報を追加旅行情報データベース２０６ｃに格納してもよい。また、追加旅行情報取得部２０２ｄは、更に、取得した追加旅行情報を旅行商品提供元に送信してもよい。また、例えば、追加旅行情報取得部２０２ｄは、更に、所定の経由地等が追加条件としてどのくらい選択されているかを示す人気情報、３０代のユーザにはどのようなＰＯＩが追加条件として選択されているかを示す情報、および、後日ユーザが追加条件として選択した経由地に行ったかどうかを示す情報等を旅行商品提供元に送信することで、フィードバックしてもよい。また、追加旅行情報取得部２０２ｄは、更に、旅行商品提供元から、旅行商品情報検索部２０２ｂにより検索された旅行商品情報に基づく旅行商品の購入確定情報を受信した場合、当該購入確定情報に基づく購入者ＩＤと当該旅行商品情報と追加旅行情報とを対応付けて追加旅行情報データベース２０６ｃに格納してもよい。また、旅行商品情報は、予め自由行動時間に関する自由行動時間情報を含む、または、制御部２０２により自由行動時間が判定されてもよい。
【００９５】
そして、旅行商品情報処理サーバ２００の出力情報生成部２０２ｅは、旅行商品情報検索部２０２ｂにより検索された旅行商品情報、および／または、追加旅行情報取得部２０２ｄにより取得された追加旅行情報を含む出力情報を生成する（ステップＳＡ−１１）。ここで、出力情報は、更に、自由行動時間に関する自由行動時間情報を含んでいてもよい。また、出力情報は、更に、旅行商品情報、または、追加旅行情報に関連するクーポン、提携施設、および／または、割引に関するおすすめ情報を含んでいてもよい。また、出力情報は、更に、地図情報データベース２０６ｆに記憶された自由行動時間経路を含む地図に関する地図情報を含んでいてもよい。また、出力情報は、更に、案内情報データベース２０６ｇに記憶された自由行動時間経路に対応した案内情報を含んでいてもよい。
【００９６】
そして、旅行商品情報処理サーバ２００の出力情報送信部２０２ｆは、ステップＳＡ−１１にて出力情報生成部２０２ｅにより生成された出力情報を端末装置１００に送信する（ステップＳＡ−１２）。
【００９７】
そして、端末装置１００の出力情報受信部１０２ｄは、旅行商品情報処理サーバ２００から送信される出力情報を受信し、受信した出力情報を出力情報ファイル１０６ａに格納する（ステップＳＡ−１３）。
【００９８】
そして、端末装置１００の出力情報出力部１０２ｅは、出力情報ファイル１０６ａに記憶された出力情報を表示部１１４に表示させ（ステップＳＡ−１４）、処理を終了する。なお、出力情報出力部１０２ｅは、利用者により入力部１１８を介して自由行動時間経路に対する経路案内開始要求が入力された場合、出力情報ファイル１０６ａに記憶された地図情報上に、出力情報ファイル１０６ａに記憶された自由行動時間経路情報、および、現在位置情報取得部１０２ａにより取得された端末装置１００の利用者の現在位置情報を重畳して表示部１１４に表示させることにより、経路案内を実行してもよい。ここで、出力情報出力部１０２ｅは、出力情報ファイル１０６ａに記憶された自由行動時間経路に対応した表示案内情報を表示部１１４に表示させてもよい。また、出力情報出力部１０２ｅは、表示に対応した音声情報（出力情報ファイル１０６ａに記憶された音声案内情報等）を音声出力部１１６を介して出力させてもよい。
【００９９】
ここで、図１１および図１２を参照して、本実施形態における出力情報の一例について説明する。図１１および図１２は、本実施形態における出力情報の一例を示す図である。
【０１００】
図１１は、自由行動時間に計画した移動を含めて、旅行商品情報（旅行商品データ）を一体的に表示した出力情報（出力画面）であり、ユーザは自分で、参加する旅行商品データに含まれる固定行動時間と、自分で計画した自由行動時間とをあわせてひとつの旅行データとしてみることが可能となる。この表示は、１つの旅行商品データで行う必要はなく、複数の旅行商品データにおいて行えるように一時記憶しておいてもよい。ユーザは、それぞれ計画した旅行商品データを見比べて購入を検討し、購入を決定したものだけを本登録するようにしてもよい。このようにすることによって、ユーザはカタログで提示される固定行動時間の旅行商品データではなく、それにカスタマイズ（自由行動時間の計画）を加えた旅行商品データを、それぞれ見比べることができるので、実際の現地での行動についてイメージしながら旅行商品を選択することが可能となる。また、購入を決定したものについては本登録されるので、事後必要な際に読み出すことが可能となる。また、図１２に示すように、タブレット端末における出力情報（出力画面）では、図１０における自由時間編集画面にて選択された追加条件（ユーザが指定した地点情報）に基づいて、時系列に接続された自由行動時間情報（ＯＯバナナ園、ＯＯ美術館、および、ＯＯｃａｆｅ）を示すアイコンを固定行動時間情報を示すアイコンに時系列に接続して表示してもよい。
【０１０１】
以上で、第１の実施形態における旅行商品情報処理システムの処理の一例の説明を終える。
【０１０２】
［第２の実施形態］
続いて、本発明の第２の実施形態における旅行商品情報処理システム（サーバ主導型）について、図１３および図１４を参照して以下に説明する。ここで、図１３は、第２の実施形態における旅行商品情報処理サーバ２００の構成の一例を示すブロック図であり、該構成のうち本発明に関係する部分のみを概念的に示している。
【０１０３】
なお、第２の実施形態における旅行商品情報処理システムにおいては、旅行商品情報処理サーバ２００にて端末装置１００の表示部１１４に表示させるデータを生成し、これらのデータを端末装置１００に送信することにより、当該端末装置１００の表示部１１４を機能させている。このように、第２の実施形態は、旅行商品情報処理サーバ２００にてサーバ主導で処理を行う点がその他の実施形態と異なる。
【０１０４】
［旅行商品情報処理サーバ２００の構成］
まず、第２の実施形態における旅行商品情報処理サーバ２００の構成の一例について、図１３を参照して以下に説明する。
【０１０５】
図１３に示すように、本発明の第２の実施形態の旅行商品情報処理サーバ２００は、位置取得部１１２と出力部（表示部１１４および音声出力部１１６）と入力部１１８と制御部１０２とを少なくとも備えた端末装置１００に通信可能に接続され、制御部２０２と記憶部２０６とを少なくとも備える。通信には、一例として、ネットワーク３００を介した有線・無線通信等の遠隔通信等を含む。また、これら旅行商品情報処理サーバ２００および端末装置１００の各部は任意の通信路を介して通信可能に接続されている。
【０１０６】
図１３において、旅行商品情報処理サーバ２００は、端末装置１００の入力部１１８を介して入力され、端末装置１００から送信された検索条件に基づいて、旅行商品情報を検索し、端末装置１００の入力部１１８を介して入力され、端末装置１００から送信された追加条件に基づいて、検索された旅行商品情報に含まれる固定行動時間情報に基づく固定行動時間以外の自由行動時間における旅行情報である追加旅行情報を取得し、検索された旅行商品情報、および、取得された追加旅行情報を含む出力情報を生成し、出力情報を含む出力制御情報を端末装置１００へ送信することにより、当該出力情報を当該端末装置１００の出力部を介して出力させる等の機能を有する。
【０１０７】
なお、旅行商品情報処理サーバ２００における通信制御インターフェース部２０４および記憶部２０６（旅行商品情報データベース２０６ａ、ＰＯＩ情報データベース２０６ｂ、追加旅行情報データベース２０６ｃ、ネットワーク情報データベース２０６ｄ、交通情報データベース２０６ｅ、地図情報データベース２０６ｆ、および、案内情報データベース２０６ｇ等）の機能、また、端末装置１００における位置取得部１１２、表示部１１４、音声出力部１１６、および、入力部１１８の機能は、第１の実施形態と同様であるため説明を省略する。
【０１０８】
また、図１３において、制御部２０２は、ＯＳ等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、検索条件受信部２０２ａ、旅行商品情報検索部２０２ｂ、追加条件受信部２０２ｃ、追加旅行情報取得部２０２ｄ、出力情報生成部２０２ｅ、現在位置情報取得部２０２ｇ、および、出力制御部２０２ｈを備える。なお、検索条件受信部２０２ａ、旅行商品情報検索部２０２ｂ、追加条件受信部２０２ｃ、追加旅行情報取得部２０２ｄ、および、出力情報生成部２０２ｅの機能は、第１の実施形態と同様であるため説明を省略する。
【０１０９】
このうち、現在位置情報取得部２０２ｇは、端末装置１００の利用者の現在位置情報を取得する現在位置情報取得手段である。ここで、現在位置情報取得部２０２ｇは、端末装置１００の利用者の現在位置情報を所定時間ごと（例えば、１秒ごと、または、３分ごと等）に、すなわち、所定周期で取得してもよい。また、現在位置情報取得部２０２ｇは、端末装置１００の位置取得部１１２にて位置発信装置５００から受信した位置情報信号を端末装置１００から受信し、当該位置情報信号から算出した位置情報を端末装置１００の利用者の現在位置情報として取得してもよい。また、現在位置情報取得部２０２ｇは、利用者により端末装置１００の入力部１１８を介して入力された現在位置についての位置座標等の位置情報を受信し、当該位置情報を端末装置１００の利用者の現在位置情報として取得してもよい。
【０１１０】
また、出力制御部２０２ｈは、出力情報を含む出力制御情報を端末装置１００へ送信することにより、当該出力情報を当該端末装置１００の出力部を介して出力させる出力制御手段である。ここで、出力制御部２０２ｈは、表示情報を含む出力情報を含む出力制御情報を端末装置１００に送信することにより、当該表示情報を当該端末装置１００の表示部１１４に表示させてもよい。また、出力制御部２０２ｈは、端末装置１００の入力部１１８を介して経路案内開始要求が入力された場合等、表示情報を含む出力情報を含む出力制御情報を端末装置１００に送信することにより、当該表示情報を当該端末装置１００の表示部１１４に表示させることで、経路案内を実行してもよい。また、出力制御部２０２ｈは、更に、表示情報に対応した音声情報（例えば、案内情報データベース２０６ｇに記憶された音声案内情報等）を含む出力情報を含む出力制御情報を端末装置１００に送信することにより、当該音声情報を端末装置１００の音声出力部１１６を介して出力させることで、音声案内を実行してもよい。
【０１１１】
以上で、第２の実施形態における旅行商品情報処理サーバ２００の構成の一例の説明を終える。
【０１１２】
［旅行商品情報処理システム（サーバ主導型）の処理］
次に、このように構成された第２の実施形態における旅行商品情報処理システムの処理の一例について、以下に図１４を参照して説明する。図１４は、第２の実施形態における旅行商品情報処理システムの処理の一例を示すフローチャートである。
【０１１３】
図１４に示すように、まず、旅行商品情報処理サーバ２００の出力情報生成部２０２ｅは、旅行商品情報の検索条件を入力するための入力画面を生成する（ステップＳＢ−１）。ここで、出力情報生成部２０２ｅは、予め記憶部２０６に記憶された旅行商品情報の検索条件を入力するための入力画面を取得してもよい。
【０１１４】
そして、旅行商品情報処理サーバ２００の出力制御部２０２ｈは、出力情報生成部２０２ｅにより生成された入力画面を含む出力制御情報を端末装置１００に送信することにより、当該入力画面を当該端末装置１００の表示部１１４に表示させる（ステップＳＢ−２）。
【０１１５】
そして、端末装置１００の制御部１０２は、利用者により入力部１１８を介して検索条件が入力された場合、当該検索条件を旅行商品情報処理サーバ２００に送信する（ステップＳＢ−３）。
【０１１６】
ここで、図１４に示す第２の実施形態におけるステップＳＢ−４およびステップＳＢ−５の処理は、図２に示す第１の実施形態におけるステップＳＡ−２およびステップＳＡ−３の処理と同様であるため説明を省略する。
【０１１７】
そして、旅行商品情報処理サーバ２００の出力情報生成部２０２ｅは、旅行商品情報検索部２０２ｂにより検索された旅行商品情報を含む出力情報を生成する（ステップＳＢ−６）。ここで、出力情報は、更に、旅行商品情報検索部２０２ｂにより取得されたＰＯＩ情報を追加条件として選択するための入力画面を含んでいてもよい。また、出力情報は、旅行商品情報に含まれる自由行動時間情報を強調した表示情報を含んでいてもよい。
【０１１８】
そして、旅行商品情報処理サーバ２００の出力制御部２０２ｈは、ステップＳＢ−６にて出力情報生成部２０２ｅにより生成された出力情報を含む出力制御情報を端末装置１００に送信することにより、当該出力情報を当該端末装置１００の表示部１１４に表示させ（ステップＳＢ−７）、利用者に検索された旅行商品情報を提示する。ここで、出力制御部２０２ｈは、複数の旅行商品情報を表示部１１４に表示させることにより、利用者に端末装置１００の入力部１１８を介して旅行商品情報を選択させてもよい。また、出力制御部２０２ｈは、更に、出力情報生成部２０２ｅにより生成された出力情報に含まれるＰＯＩ情報を追加条件として選択するための入力画面を端末装置１００の表示部１１４に表示させてもよい。
【０１１９】
そして、端末装置１００の制御部１０２は、利用者により入力部１１８を介して追加条件が入力または選択された場合、当該追加条件を旅行商品情報処理サーバ２００に送信する（ステップＳＢ−８）。
【０１２０】
ここで、図１４に示す第２の実施形態におけるステップＳＢ−９およびステップＳＢ−１０の処理は、図２に示す第１の実施形態におけるステップＳＡ−９およびステップＳＡ−１０の処理と同様であるため説明を省略する。
【０１２１】
そして、旅行商品情報処理サーバ２００の出力情報生成部２０２ｅは、旅行商品情報検索部２０２ｂにより検索された旅行商品情報、および／または、追加旅行情報取得部２０２ｄにより取得された追加旅行情報を含む出力情報を生成する（ステップＳＢ−１１）。ここで、出力情報は、更に、自由行動時間に関する自由行動時間情報を含んでいてもよい。また、出力情報は、更に、旅行商品情報、または、追加旅行情報に関連するクーポン、提携施設、および／または、割引に関するおすすめ情報を含んでいてもよい。また、出力情報は、更に、地図情報データベース２０６ｆに記憶された自由行動時間経路を含む地図に関する地図情報を含んでいてもよい。また、出力情報は、更に、案内情報データベース２０６ｇに記憶された自由行動時間経路に対応した案内情報を含んでいてもよい。また、出力情報は、現在位置情報取得部２０２ｇにより取得された端末装置１００の利用者の現在位置情報を含んでいてもよい。
【０１２２】
そして、旅行商品情報処理サーバ２００の出力制御部２０２ｈは、ステップＳＢ−１１にて出力情報生成部２０２ｅにより生成された出力情報を含む出力制御情報を端末装置１００に送信することにより、当該出力情報を当該端末装置１００の表示部１１４に表示させ（ステップＳＢ−１２）、処理を終了する。なお、出力制御部２０２ｈは、利用者により端末装置１００の入力部１１８を介して自由行動時間経路に対する経路案内開始要求が入力された場合、出力情報生成部２０２ｅにより生成された、地図情報上に、自由行動時間経路情報、および、端末装置１００の利用者の現在位置情報を重畳した出力情報を含む出力制御情報を端末装置１００に送信することにより、当該出力情報を当該端末装置１００の表示部１１４に表示させることで、経路案内を実行してもよい。ここで、出力制御部２０２ｈは、出力情報生成部２０２ｅにより生成された出力情報に含まれる自由行動時間経路に対応した表示案内情報を含む出力制御情報を端末装置１００に送信することにより、当該表示案内情報を当該端末装置１００の表示部１１４に表示させてもよい。また、出力制御部２０２ｈは、更に、出力情報生成部２０２ｅにより生成された出力情報に含まれるに含まれる表示情報に対応した音声情報（例えば、案内情報データベース２０６ｇに記憶された音声案内情報等）を含む出力制御情報を端末装置１００に送信することにより、当該音声情報を端末装置１００の音声出力部１１６を介して出力させることで、音声案内を実行してもよい。
【０１２３】
以上で、第２の実施形態における旅行商品情報処理システムの処理の一例の説明を終える。
【０１２４】
［第３の実施形態］
続いて、本発明の第３の実施形態における旅行商品情報処理システムについて、図１５および図１６を参照して以下に説明する。ここで、図１５は、第３の実施形態における旅行商品情報処理装置４００の構成の一例を示すブロック図であり、該構成のうち本発明に関係する部分のみを概念的に示している。ここで、第３の実施形態における旅行商品情報処理システムにおいては、各構成が一筐体内に全て備えられ、単独で処理を行うもの（スタンドアローン型）を、旅行商品情報処理装置４００として説明するが、当該実施例に限らず、各構成が分離した筐体内に備えられ、ネットワーク３００等を介して接続されて一つの概念としての装置を構成するもの（例えば、クラウドコンピューティング等）であってもよい。
【０１２５】
なお、第３の実施形態においては、全ての機能を旅行商品情報処理装置４００に集約し、入力部４１８を介して入力された検索条件に基づいて、旅行商品情報を検索し、入力部４１８を介して入力された追加条件に基づいて、検索された旅行商品情報に含まれる固定行動時間情報に基づく固定行動時間以外の自由行動時間における旅行情報である追加旅行情報を取得し、検索された旅行商品情報、および、取得された追加旅行情報を含む出力情報を生成し、生成された出力情報を出力部を介して出力させる等の機能を有する。
【０１２６】
［旅行商品情報処理装置４００の構成］
まず、第３の実施形態における旅行商品情報処理装置４００の構成の一例について、図１５を参照して以下に説明する。
【０１２７】
図１５に示すように、本発明の第３の実施形態の旅行商品情報処理装置４００は、位置取得部４１２と出力部（表示部４１４および音声出力部４１６）と入力部４１８と制御部４０２と記憶部４０６とを少なくとも備える。これら旅行商品情報処理装置４００の各部は任意の通信路を介して通信可能に接続されてもよい。旅行商品情報処理装置４００は、例えば、ＰＮＤ（Ｐｏｒｔａｂｌｅ  Ｎａｖｉｇａｔｉｏｎ  Ｄｅｖｉｃｅ）等の各種ナビゲーション端末、ノート型のパーソナルコンピュータ等の各種情報処理装置、または、携帯電話やＰＨＳやＰＤＡ等の携帯端末装置等であってもよい。また、旅行商品情報処理装置４００は、通信制御インターフェース部４０４を介してネットワーク３００を経由し、外部サーバ６００（例えば、旅行商品情報を提供する旅行商品提供元など）等と相互に通信可能に接続されていてもよい。
【０１２８】
図１５において、通信制御インターフェース部４０４、入出力制御インターフェース部４０８、位置取得部４１２、表示部４１４、音声出力部４１６、および、入力部４１８の各機能は、第１の実施形態と同様であるため説明を省略する。また、記憶部４０６の各部（旅行商品情報データベース４０６ａ、ＰＯＩ情報データベース４０６ｂ、追加旅行情報データベース４０６ｃ、ネットワーク情報データベース４０６ｄ、交通情報データベース４０６ｅ、地図情報データベース４０６ｆ、および、案内情報データベース４０６ｇ等）についても、旅行商品情報処理サーバ２００ではなく旅行商品情報処理装置４００に備えられている点を除き、各機能が第１の実施形態と同様であるため説明を省略する。
【０１２９】
また、制御部４０２の各部については、本実施形態の旅行商品情報処理装置４００がスタンドアローン型であり、制御部４０２が各送信部を備えていない点を除き、各機能は第１の実施形態と基本的に同様である。
【０１３０】
また、図１５において、制御部４０２は、ＯＳ等の制御プログラムや、各種の処理手順等を規定したプログラム、および、所要データを格納するための内部メモリを有する。そして、制御部４０２は、これらのプログラム等により、種々の処理を実行するための情報処理を行う。制御部４０２は、機能概念的に、現在位置情報取得部４０２ａ、検索条件取得部４０２ｂ、旅行商品情報検索部４０２ｃ、追加条件取得部４０２ｄ、追加旅行情報取得部４０２ｅ、出力情報生成部４０２ｆ、および、出力情報出力部４０２ｇを備える。
【０１３１】
このうち、現在位置情報取得部４０２ａは、旅行商品情報処理装置４００の利用者の現在位置情報を取得する現在位置情報取得手段である。ここで、現在位置情報取得部４０２ａは、旅行商品情報処理装置４００の利用者の現在位置情報を所定周期（例えば、１秒ごと、または、３分ごと等）で取得してもよい。また、現在位置情報取得部４０２ａは、位置取得部４１２にて位置発信装置５００から受信した位置情報信号から算出した位置情報を旅行商品情報処理装置４００の利用者の現在位置情報として取得してもよい。また、現在位置情報は、取得時刻（例えば、位置情報信号に含まれる発信時刻等）を含んでいてもよい。
【０１３２】
また、現在位置情報取得部４０２ａは、利用者により入力部４１８を介して入力された現在位置についての位置座標等の位置情報を旅行商品情報処理装置４００の利用者の現在位置情報として取得してもよい。ここで、利用者により入力部４１８を介して入力された現在位置情報に基づく現在位置は、利用者が現実に存在する位置であってもよく、利用者により任意に選択された仮想の現在位置（一例として、東京にいる利用者により選択された大阪の駅や空港等の任意の地点）であってもよい。例えば、現在位置情報取得部４０２ａは、入力部４１８を介して利用者に表示部４１４に表示された地図情報に基づく表示画面上で指定（例えば、タッチパネルを介して指定等）させた座標を旅行商品情報処理装置４００の利用者の現在位置情報として取得してもよい。
【０１３３】
また、検索条件取得部４０２ｂは、入力部４１８を介して入力された旅行商品情報の検索条件を取得する検索条件取得手段である。ここで、検索条件取得部４０２ｂは、検索条件を入力するための表示情報（入力画面）を表示部４１４に表示させてもよい。
【０１３４】
また、旅行商品情報検索部４０２ｃは、検索条件に基づいて、旅行商品情報データベース４０６ａに記憶された旅行商品情報を検索する旅行商品情報検索手段である。ここで、旅行商品情報検索部４０２ｃは、更に、旅行商品情報に基づく固定行動時間の訪問先周辺のＰＯＩに関するＰＯＩ情報をＰＯＩ情報データベース４０６ｂから取得してもよい。
【０１３５】
また、追加条件取得部４０２ｄは、入力部４１８を介して入力された追加旅行情報の検索条件である追加条件を取得する追加条件取得手段である。ここで、追加条件取得部４０２ｄは、追加条件を入力するための表示情報（入力画面）を表示部４１４に表示させてもよい。
【０１３６】
また、追加旅行情報取得部４０２ｅは、追加条件に基づいて、旅行商品情報検索部４０２ｃにより検索された旅行商品情報に含まれる固定行動時間情報に基づく固定行動時間以外の自由行動時間における旅行情報である追加旅行情報を取得する追加旅行情報取得手段である。ここで、追加旅行情報取得部４０２ｅは、追加条件に基づいて、自由行動時間における案内経路である自由行動時間経路を探索し、当該自由行動時間経路に関する経路情報である自由行動時間経路情報を含む追加旅行情報を取得してもよい。ここで、追加旅行情報取得部４０２ｅは、自由行動時間経路をネットワーク情報データベース４０６ｄに記憶されたネットワーク情報を用いて探索してもよい。また、追加旅行情報取得部４０２ｅは、更に、自由行動時間経路を、交通情報データベース４０６ｅに記憶された交通情報に基づいて探索してもよい。例えば、追加旅行情報取得部４０２ｅは、自由行動時間経路を、交通情報データベース４０６ｅに記憶された交通情報に基づいて、ネットワーク情報データベース４０６ｄに記憶されたネットワーク情報を用いて探索してもよい。また、追加旅行情報取得部４０２ｅは、追加条件に含まれる経路探索条件を満たす自由行動時間経路を探索してもよい。また、追加旅行情報は、更に、地図情報データベース４０６ｆに記憶された案内経路（自由行動時間経路）を含む地図に関する地図情報、および／または、案内情報データベース４０６ｇに記憶された、案内経路（自由行動時間経路）上において出力される案内情報（表示案内情報および音声案内情報等）を含んでいてもよい。
【０１３７】
また、追加旅行情報取得部４０２ｅは、更に、取得した追加旅行情報に基づく自由行動時間経路の終点から、当該追加旅行情報に基づく自由行動時間直後の固定行動時間に関する固定行動時間情報に含まれる位置情報に基づく最初の訪問先への移動が、間に合うか否か判定し、間に合う場合、当該追加旅行情報を追加旅行情報データベース４０６ｃに格納してもよい。また、追加旅行情報取得部４０２ｅは、更に、取得した追加旅行情報を旅行商品提供元に送信してもよい。また、追加旅行情報取得部４０２ｅは、更に、旅行商品提供元から、旅行商品情報検索部４０２ｃにより検索された旅行商品情報に基づく旅行商品の購入確定情報を受信した場合、当該購入確定情報に基づく購入者ＩＤと当該旅行商品情報と追加旅行情報とを対応付けて追加旅行情報データベース４０６ｃに格納してもよい。また、旅行商品情報は、予め自由行動時間に関する自由行動時間情報を含む、または、制御部４０２により自由行動時間が判定されてもよい。また、追加旅行情報取得部４０２ｅは、追加条件に基づいて、旅行商品情報データベース４０６ａに記憶された旅行商品情報、および／または、ＰＯＩ情報データベース４０６ｂに記憶されたＰＯＩ情報を検索することで、追加旅行情報を取得してもよい。
【０１３８】
また、出力情報生成部４０２ｆは、旅行商品情報検索部４０２ｃにより検索された旅行商品情報、および／または、追加旅行情報取得部４０２ｅにより取得された追加旅行情報を含む出力情報を生成する出力情報生成手段である。ここで、出力情報は、更に、自由行動時間に関する自由行動時間情報を含んでいてもよい。また、出力情報は、更に、旅行商品情報、または、追加旅行情報に関連するクーポン、提携施設、および／または、割引に関するおすすめ情報を含んでいてもよい。また、出力情報は、更に、ＰＯＩ情報を含んでいてもよい。また、出力情報は、表示情報を含む情報であってもよい。ここで、表示情報は、旅行商品情報処理装置４００の利用者の現在位置情報を含んでいてもよい。また、出力情報生成部４０２ｆは、検索条件または追加条件を入力するための表示情報（入力画面）を含む出力情報を生成してもよい。また、出力情報生成部４０２ｆは、予め記憶部４０６に記憶された入力画面を取得してもよい。また、出力情報は、更に、地図情報データベース４０６ｆに記憶された自由行動時間経路を含む地図に関する地図情報を含んでいてもよい。また、出力情報は、更に、案内情報データベース４０６ｇに記憶された自由行動時間経路に対応した案内情報を含んでいてもよい。ここで、表示情報は、旅行商品情報処理装置４００の表示部４１４に表示させる情報（例えば、画像、文字情報、または、表示画面等）であってもよい。
【０１３９】
また、出力情報出力部４０２ｇは、出力情報を出力部を介して出力させる出力情報出力手段である。ここで、出力情報出力部４０２ｇは、出力情報を表示部４１４に表示させてもよい。また、出力情報出力部４０２ｇは、経路案内情報（出力情報に含まれる地図情報、および／または、出力情報に含まれる経路情報（自由行動時間経路情報）等）、および／または、旅行商品情報処理装置４００の利用者の現在位置情報を表示部４１４に表示させることにより、経路案内を実行してもよい。ここで、出力情報出力部４０２ｇは、入力部４１８を介して経路案内開始要求が入力された場合、経路案内を実行してもよい。また、出力情報出力部４０２ｇは、表示案内情報を表示部４１４に表示させてもよい。また、出力情報出力部４０２ｇは、表示に対応した音声情報（案内情報に含まれる音声案内情報等）を音声出力部４１６を介して出力させてもよい。
【０１４０】
以上で、第３の実施形態における旅行商品情報処理装置４００の構成の一例の説明を終える。
【０１４１】
［旅行商品情報処理装置４００の処理］
次に、このように構成された第３の実施形態における旅行商品情報処理システム（旅行商品情報処理装置４００）の処理の一例について、以下に図１６を参照して説明する。図１６は、第３の実施形態における旅行商品情報処理システムの処理の一例を示すフローチャートである。
【０１４２】
図１６に示すように、まず、検索条件取得部４０２ｂは、旅行商品情報の検索条件を入力するための入力画面を表示部４１４に表示させ、利用者により入力部４１８を介して検索条件が入力された場合、当該検索条件を取得する（ステップＳＣ−１）。ここで、検索条件取得部４０２ｂは、地図情報を含む入力画面を表示部４１４に表示させ、利用者により入力部４１８を介して表示した地図情報がタップされた場合、当該タップされた位置に対応する地点情報を検索条件として取得してもよい。
【０１４３】
そして、旅行商品情報検索部４０２ｃは、検索条件取得部４０２ｂにより取得された検索条件に基づいて、旅行商品情報データベース４０６ａに記憶された旅行商品情報を検索する（ステップＳＣ−２）。ここで、旅行商品情報検索部４０２ｃは、更に、旅行商品情報に基づく固定行動時間の訪問先周辺のＰＯＩに関するＰＯＩ情報をＰＯＩ情報データベース４０６ｂから取得してもよい。また、旅行商品情報検索部４０２ｃは、検索条件取得部４０２ｂにより取得された検索条件に基づいて、旅行商品提供元の外部サーバ６００に記憶された旅行商品情報を検索してもよい。
【０１４４】
そして、出力情報生成部４０２ｆは、旅行商品情報検索部４０２ｃにより検索された旅行商品情報を含む出力情報を生成する（ステップＳＣ−３）。ここで、出力情報は、更に、旅行商品情報検索部４０２ｃにより取得されたＰＯＩ情報を含んでいてもよい。
【０１４５】
そして、出力情報出力部４０２ｇは、ステップＳＣ−３にて出力情報生成部４０２ｆにより生成された出力情報を表示部４１４に表示させることで（ステップＳＣ−４）、利用者に検索された旅行商品情報を提示する。ここで、出力情報出力部４０２ｇは、複数の旅行商品情報を表示部４１４に表示させることにより、利用者に入力部４１８を介して旅行商品情報を選択させてもよい。
【０１４６】
そして、追加条件取得部４０２ｄは、出力情報出力部４０２ｇにより表示された旅行商品情報に含まれる固定行動時間情報に基づく固定行動時間以外の自由行動時間における旅行情報である追加旅行情報の検索条件である追加条件を入力または選択するための入力画面を表示部４１４に表示させ、利用者により入力部４１８を介して追加条件が入力または選択された場合、当該追加条件を取得する（ステップＳＣ−５）。ここで、追加条件取得部４０２ｄは、出力情報出力部４０２ｇにより表示された出力情報に含まれる、固定行動時間の訪問先周辺のＰＯＩに関するＰＯＩ情報を追加条件として選択するための入力画面を表示部４１４に表示させ、利用者により入力部４１８を介して追加条件が選択された場合、当該追加条件を取得してもよい。
【０１４７】
そして、追加旅行情報取得部４０２ｅは、追加条件取得部４０２ｄにより取得された追加条件に基づいて、旅行商品情報データベース４０６ａに記憶された旅行商品情報（例えば、オプショナルツアー情報等）、および／または、ＰＯＩ情報データベース４０６ｂに記憶されたＰＯＩ情報を検索し、交通情報データベース４０６ｅに記憶された交通情報に基づいて、ネットワーク情報データベース４０６ｄに記憶されたネットワーク情報を用いて自由行動時間における案内経路である自由行動時間経路を探索し、当該自由行動時間経路に関する経路情報である自由行動時間経路情報を含む追加旅行情報を取得する（ステップＳＣ−６）。ここで、追加旅行情報取得部４０２ｅは、追加条件に含まれる経路探索条件を満たす自由行動時間経路を探索してもよい。また、追加旅行情報は、更に、地図情報データベース４０６ｆに記憶された案内経路（自由行動時間経路）を含む地図に関する地図情報、および／または、案内情報データベース４０６ｇに記憶された、案内経路（自由行動時間経路）上において出力される案内情報（表示案内情報および音声案内情報等）を含んでいてもよい。また、追加旅行情報取得部４０２ｅは、更に、取得した追加旅行情報に基づく自由行動時間経路の終点から、当該追加旅行情報に基づく自由行動時間直後の固定行動時間に関する固定行動時間情報に含まれる位置情報に基づく最初の訪問先への移動が、間に合うか否か判定し、間に合う場合、当該追加旅行情報を追加旅行情報データベース４０６ｃに格納してもよい。また、追加旅行情報取得部４０２ｅは、更に、取得した追加旅行情報を旅行商品提供元に送信してもよい。また、追加旅行情報取得部４０２ｅは、更に、旅行商品提供元から、旅行商品情報検索部４０２ｃにより検索された旅行商品情報に基づく旅行商品の購入確定情報を受信した場合、当該購入確定情報に基づく購入者ＩＤと当該旅行商品情報と追加旅行情報とを対応付けて追加旅行情報データベース４０６ｃに格納してもよい。また、旅行商品情報は、予め自由行動時間に関する自由行動時間情報を含む、または、制御部４０２により自由行動時間が判定されてもよい。
【０１４８】
そして、出力情報生成部４０２ｆは、旅行商品情報検索部４０２ｃにより検索された旅行商品情報、および／または、追加旅行情報取得部４０２ｅにより取得された追加旅行情報を含む出力情報を生成する（ステップＳＣ−７）。ここで、出力情報は、更に、自由行動時間に関する自由行動時間情報を含んでいてもよい。また、出力情報は、更に、旅行商品情報、または、追加旅行情報に関連するクーポン、提携施設、および／または、割引に関するおすすめ情報を含んでいてもよい。また、出力情報は、更に、地図情報データベース４０６ｆに記憶された自由行動時間経路を含む地図に関する地図情報を含んでいてもよい。また、出力情報は、更に、案内情報データベース４０６ｇに記憶された自由行動時間経路に対応した案内情報を含んでいてもよい。
【０１４９】
そして、出力情報出力部４０２ｇは、ステップＳＣ−７にて出力情報生成部４０２ｆにより生成された出力情報を表示部４１４に表示させ（ステップＳＣ−８）、処理を終了する。なお、出力情報出力部４０２ｇは、利用者により入力部４１８を介して自由行動時間経路に対する経路案内開始要求が入力された場合、出力情報生成部４０２ｆにより生成された出力情報に含まれる地図情報上に、出力情報生成部４０２ｆにより生成された出力情報に含まれる自由行動時間経路情報、および、現在位置情報取得部４０２ａにより取得された旅行商品情報処理装置４００の利用者の現在位置情報を重畳して表示部４１４に表示させることにより、経路案内を実行してもよい。ここで、出力情報出力部４０２ｇは、出力情報生成部４０２ｆにより生成された出力情報に含まれる自由行動時間経路に対応した表示案内情報を表示部４１４に表示させてもよい。また、出力情報出力部４０２ｇは、表示に対応した音声情報（出力情報生成部４０２ｆにより生成された出力情報に含まれる音声案内情報等）を音声出力部４１６を介して出力させてもよい。
【０１５０】
以上で、第３の実施形態における旅行商品情報処理システムの処理の一例の説明を終える。
【０１５１】
［他の実施の形態］
さて、これまで本発明の実施の形態について説明したが、本発明は、上述した実施の形態以外にも、特許請求の範囲に記載した技術的思想の範囲内において種々の異なる実施の形態にて実施されてよいものである。
【０１５２】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１５３】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０１５４】
また、端末装置１００、旅行商品情報処理サーバ２００、および、旅行商品情報処理装置４００に関して、図示の各構成要素は機能概念的なものであり、必ずしも物理的に図示の如く構成されていることを要しない。
【０１５５】
例えば、端末装置１００、旅行商品情報処理サーバ２００、および、旅行商品情報処理装置４００の各装置が備える処理機能、特に制御部１０２、制御部２０２、および、制御部４０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、後述する、コンピュータに本発明に係る方法を実行させるためのプログラム化された命令を含む、一時的でないコンピュータ読み取り可能な記録媒体に記録されており、必要に応じて端末装置１００、旅行商品情報処理サーバ２００、および、旅行商品情報処理装置４００に機械的に読み取られる。すなわち、ＲＯＭまたはＨＤＤなどの記憶部１０６、記憶部２０６、および、記憶部４０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１５６】
また、このコンピュータプログラムは、端末装置１００、旅行商品情報処理サーバ２００、および、旅行商品情報処理装置４００に対して任意のネットワーク３００を介して接続されたアプリケーションプログラムサーバに記憶されていてもよく、必要に応じてその全部または一部をダウンロードすることも可能である。
【０１５７】
また、本発明に係るプログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ  Ｄｉｓｃ等の任意の「可搬用の物理媒体」を含むものとする。
【０１５８】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１５９】
記憶部１０６、記憶部２０６、および、記憶部４０６に格納される各種のデータベース等（出力情報ファイル１０６ａ、旅行商品情報データベース２０６ａ、ＰＯＩ情報データベース２０６ｂ、追加旅行情報データベース２０６ｃ、ネットワーク情報データベース２０６ｄ、交通情報データベース２０６ｅ、地図情報データベース２０６ｆ、案内情報データベース２０６ｇ、旅行商品情報データベース４０６ａ、ＰＯＩ情報データベース４０６ｂ、追加旅行情報データベース４０６ｃ、ネットワーク情報データベース４０６ｄ、交通情報データベース４０６ｅ、地図情報データベース４０６ｆ、および、案内情報データベース４０６ｇ）は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【０１６０】
また、端末装置１００、旅行商品情報処理サーバ２００、および、旅行商品情報処理装置４００は、既知のパーソナルコンピュータ、ワークステーション等の情報処理装置として構成してもよく、また、該情報処理装置に任意の周辺装置を接続して構成してもよい。また、端末装置１００、旅行商品情報処理サーバ２００、および、旅行商品情報処理装置４００は、該情報処理装置に本発明の方法を実現させるソフトウェア（プログラム、データ等を含む）を実装することにより実現してもよい。
【０１６１】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【０１６２】
以上詳述したように、本発明によれば、旅行会社または旅行代理店等が提供する旅行ツアーを購入する際に、ユーザが検討または選択しやすくなる旅行商品情報処理システム、旅行商品情報処理サーバ、旅行商品情報処理方法、および、プログラムを提供することができるので、ナビゲーションを支援する情報機器や情報処理分野などの様々な分野において極めて有用である。
【符号の説明】
【０１６３】
１００  端末装置
１０２  制御部
１０２ａ  現在位置情報取得部
１０２ｂ  検索条件送信部
１０２ｃ  追加条件送信部
１０２ｄ  出力情報受信部
１０２ｅ  出力情報出力部
１０４  通信制御インターフェース部
１０６  記憶部
１０６ａ  出力情報ファイル
１０８  入出力制御インターフェース部
１１２  位置取得部
１１４  表示部
１１６  音声出力部
１１８  入力部
２００  旅行商品情報処理サーバ
２０２  制御部
２０２ａ  検索条件受信部
２０２ｂ  旅行商品情報検索部
２０２ｃ  追加条件受信部
２０２ｄ  追加旅行情報取得部
２０２ｅ  出力情報生成部
２０２ｆ  出力情報送信部
２０２ｇ  現在位置情報取得部
２０２ｈ  出力制御部
２０４  通信制御インターフェース部
２０６  記憶部
２０６ａ  旅行商品情報データベース
２０６ｂ  ＰＯＩ情報データベース
２０６ｃ  追加旅行情報データベース
２０６ｄ  ネットワーク情報データベース
２０６ｅ  交通情報データベース
２０６ｆ  地図情報データベース
２０６ｇ  案内情報データベース
３００  ネットワーク
４００  旅行商品情報処理装置
４０２  制御部
４０２ａ  現在位置情報取得部
４０２ｂ  検索条件取得部
４０２ｃ  旅行商品情報検索部
４０２ｄ  追加条件取得部
４０２ｅ  追加旅行情報取得部
４０２ｆ  出力情報生成部
４０２ｇ  出力情報出力部
４０４  通信制御インターフェース部
４０６  記憶部
４０６ａ  旅行商品情報データベース
４０６ｂ  ＰＯＩ情報データベース
４０６ｃ  追加旅行情報データベース
４０６ｄ  ネットワーク情報データベース
４０６ｅ  交通情報データベース
４０６ｆ  地図情報データベース
４０６ｇ  案内情報データベース
４０８  入出力制御インターフェース部
４１２  位置取得部
４１４  表示部
４１６  音声出力部
４１８  入力部
５００  位置発信装置
６００  外部サーバ
【図１】
2014115778.tif 000003
【図２】
2014115778.tif 000004
【図３】
2014115778.tif 000005
【図４】
2014115778.tif 000006
【図５】
2014115778.tif 000007
【図６】
2014115778.tif 000008
【図７】
2014115778.tif 000009
【図８】
2014115778.tif 000010
【図９】
2014115778.tif 000011
【図１０】
2014115778.tif 000012
【図１１】
2014115778.tif 000013
【図１２】
2014115778.tif 000014
【図１３】
2014115778.tif 000015
【図１４】
2014115778.tif 000016
【図１５】
2014115778.tif 000017
【図１６】
2014115778.tif 000018